(57)【要約】      （修正有）【課題】効率的に通信を行う端末装置、基地局装置及び通信方法を提供する。【解決手段】端末装置は、受信したＰＤＣＣＨに含まれるＤＣＩフォーマットによりスケジューリングされるＰＵＳＣＨを送信する。ＰＵＳＣＨのトランスポートブロックを変調する変調方式は、ＤＣＩフォーマットがＴＣ−ＲＮＴＩによりスクランブルされたＣＲＣを伴い、ＰＵＳＣＨに対して変形プレコーディングが有効である場合に、第１のＭＣＳテーブル、及び、ＤＣＩフォーマットに含まれるＭＣＳフィールドの値に基づき与えられ、ＤＣＩフォーマットがＣ−ＲＮＴＩによりスクランブルされたＣＲＣを伴う第１の上りリンクＤＣＩフォーマットであり、ＰＵＳＣＨに対して変形プレコーディングが有効であり、上位層のパラメータＭＣＳ―Ｔａｂｌｅ―ＰＵＳＣＨ―ｔｐが第１の値にセットされている場合に、第２のＭＣＳテーブル、及び／又は、ＭＣＳフィールドの値に基づき与えられる。【選択図】図７
2019134354.tif 000002
【特許請求の範囲】
【請求項１】
ＤＣＩフォーマットを含むＰＤＣＣＨを受信する受信部と、
前記ＤＣＩフォーマットによりスケジューリングされるＰＵＳＣＨを送信する送信部と、を備え、
前記ＰＵＳＣＨのトランスポートブロックが所定の変調方式に基づき変調されることにより複素数値変調シンボルが生成され、
前記ＰＵＳＣＨに対して変形プレコーディングが有効である場合に前記複素数値変調シンボルに対して変形プレコーディングが適用され、
前記ＤＣＩフォーマットがＴＣ−ＲＮＴＩによりスクランブルされたＣＲＣを伴い、かつ、前記ＰＵＳＣＨに対して変形プレコーディングが有効である場合に、前記所定の変調方式は第１のＭＣＳテーブル、および、前記ＤＣＩフォーマットに含まれるＭＣＳフィールドの値に少なくとも基づき与えられ、
前記ＤＣＩフォーマットがＣ−ＲＮＴＩによりスクランブルされたＣＲＣを伴う第１の上りリンクＤＣＩフォーマットであり、前記ＰＵＳＣＨに対して変形プレコーディングが有効であり、上位層のパラメータＭＣＳ―Ｔａｂｌｅ―ＰＵＳＣＨ―ｔｐが第１の値にセットされている場合に、前記所定の変調方式は第２のＭＣＳテーブル、および／または、前記ＭＣＳフィールドの値に少なくとも基づき与えられる端末装置。
【請求項２】
ＤＣＩフォーマットを含むＰＤＣＣＨを受信する受信部と、
前記ＤＣＩフォーマットによりスケジューリングされるＰＵＳＣＨを送信する送信部と、を備え、
前記ＰＵＳＣＨのトランスポートブロックが所定の変調方式に基づき変調されることにより複素数値変調シンボルが生成され、
前記ＰＵＳＣＨに対して変形プレコーディングが有効である場合に前記複素数値変調シンボルに対して変形プレコーディングが適用され、
前記ＤＣＩフォーマットがＣ−ＲＮＴＩによりスクランブルされたＣＲＣを伴い、前記ＰＵＳＣＨに対して変形プレコーディングが有効であり、かつ、上位層のパラメータＭＣＳ―Ｔａｂｌｅ―ＰＵＳＣＨ―ｔｐが第１の値にセットされていない場合に、前記所定の変調方式は第１のＭＣＳテーブル、および、前記ＤＣＩフォーマットに含まれるＭＣＳフィールドの値に少なくとも基づき与えられ、
前記ＤＣＩフォーマットがＣ−ＲＮＴＩによりスクランブルされたＣＲＣを伴い、前記ＰＵＳＣＨに対して変形プレコーディングが有効であり、前記上位層のパラメータＭＣＳ―Ｔａｂｌｅ―ＰＵＳＣＨ―ｔｐが前記第１の値にセットされている場合に、前記所定の変調方式は第２のＭＣＳテーブル、および、前記ＭＣＳフィールドの値に少なくとも基づき与えられ、
前記ＤＣＩフォーマットがＴＣ−ＲＮＴＩによりスクランブルされたＣＲＣを伴い、かつ、前記ＰＵＳＣＨに対して変形プレコーディングが有効である場合に、前記上位層のパラメータＭＣＳ―Ｔａｂｌｅ―ＰＵＳＣＨ―ｔｐの値にかかわらず、前記所定の変調方式は第１のＭＣＳテーブル、および、前記ＭＣＳフィールドの値に少なくとも基づき与えられる端末装置。
【請求項３】
ＰＵＳＣＨをスケジューリングするＤＣＩフォーマットを含むＰＤＣＣＨを送信する送信部と、
前記ＰＵＳＣＨを受信する受信部と、を備え、
前記ＰＵＳＣＨのトランスポートブロックが所定の変調方式に基づき変調されることにより複素数値変調シンボルが生成され、
前記ＰＵＳＣＨに対して変形プレコーディングが有効である場合に前記複素数値変調シンボルに対して変形プレコーディングが適用され、
前記ＤＣＩフォーマットがＴＣ−ＲＮＴＩによりスクランブルされたＣＲＣを伴い、か
つ、前記ＰＵＳＣＨに対して変形プレコーディングが有効である場合に、前記所定の変調方式は第１のＭＣＳテーブル、および、前記ＤＣＩフォーマットに含まれるＭＣＳフィールドの値に少なくとも基づき与えられ、
前記ＤＣＩフォーマットがＣ−ＲＮＴＩによりスクランブルされたＣＲＣを伴う第１の上りリンクＤＣＩフォーマットであり、前記ＰＵＳＣＨに対して変形プレコーディングが有効であり、上位層のパラメータＭＣＳ―Ｔａｂｌｅ―ＰＵＳＣＨ―ｔｐが第１の値にセットされている場合に、前記所定の変調方式は第２のＭＣＳテーブル、および／または、前記ＭＣＳフィールドの値に少なくとも基づき与えられる基地局装置。
【請求項４】
ＰＵＳＣＨをスケジューリングするＤＣＩフォーマットを含むＰＤＣＣＨを送信する送信部と、
前記ＰＵＳＣＨを受信する受信部と、を備え、
前記ＰＵＳＣＨのトランスポートブロックが所定の変調方式に基づき変調されることにより複素数値変調シンボルが生成され、
前記ＰＵＳＣＨに対して変形プレコーディングが有効である場合に前記複素数値変調シンボルに対して変形プレコーディングが適用され、
前記ＤＣＩフォーマットがＣ−ＲＮＴＩによりスクランブルされたＣＲＣを伴い、前記ＰＵＳＣＨに対して変形プレコーディングが有効であり、かつ、上位層のパラメータＭＣＳ―Ｔａｂｌｅ―ＰＵＳＣＨ―ｔｐが第１の値にセットされていない場合に、前記所定の変調方式は第１のＭＣＳテーブル、および、前記ＤＣＩフォーマットに含まれるＭＣＳフィールドの値に少なくとも基づき与えられ、
前記ＤＣＩフォーマットがＣ−ＲＮＴＩによりスクランブルされたＣＲＣを伴い、前記ＰＵＳＣＨに対して変形プレコーディングが有効であり、前記上位層のパラメータＭＣＳ―Ｔａｂｌｅ―ＰＵＳＣＨ―ｔｐが前記第１の値にセットされている場合に、前記所定の変調方式は第２のＭＣＳテーブル、および、前記ＭＣＳフィールドの値に少なくとも基づき与えられ、
前記ＤＣＩフォーマットがＴＣ−ＲＮＴＩによりスクランブルされたＣＲＣを伴い、かつ、前記ＰＵＳＣＨに対して変形プレコーディングが有効である場合に、前記上位層のパラメータＭＣＳ―Ｔａｂｌｅ―ＰＵＳＣＨ―ｔｐの値にかかわらず、前記所定の変調方式は第１のＭＣＳテーブル、および、前記ＭＣＳフィールドの値に少なくとも基づき与えられる基地局装置。
【請求項５】
端末装置の通信方法であって、
ＤＣＩフォーマットを含むＰＤＣＣＨを受信するステップと、
前記ＤＣＩフォーマットによりスケジューリングされるＰＵＳＣＨを送信するステップと、を備え、
前記ＰＵＳＣＨのトランスポートブロックが所定の変調方式に基づき変調されることにより複素数値変調シンボルが生成され、
前記ＰＵＳＣＨに対して変形プレコーディングが有効である場合に前記複素数値変調シンボルに対して変形プレコーディングが適用され、
前記ＤＣＩフォーマットがＴＣ−ＲＮＴＩによりスクランブルされたＣＲＣを伴い、かつ、前記ＰＵＳＣＨに対して変形プレコーディングが有効である場合に、前記所定の変調方式は第１のＭＣＳテーブル、および、前記ＤＣＩフォーマットに含まれるＭＣＳフィールドの値に少なくとも基づき与えられ、
前記ＤＣＩフォーマットがＣ−ＲＮＴＩによりスクランブルされたＣＲＣを伴う第１の上りリンクＤＣＩフォーマットであり、前記ＰＵＳＣＨに対して変形プレコーディングが有効であり、上位層のパラメータＭＣＳ―Ｔａｂｌｅ―ＰＵＳＣＨ―ｔｐが第１の値にセットされている場合に、前記所定の変調方式は第２のＭＣＳテーブル、および／または、前記ＭＣＳフィールドの値に少なくとも基づき与えられる通信方法。
【請求項６】
ＤＣＩフォーマットを含むＰＤＣＣＨを受信するステップと、
前記ＤＣＩフォーマットによりスケジューリングされるＰＵＳＣＨを送信するステップと、を備え、
前記ＰＵＳＣＨのトランスポートブロックが所定の変調方式に基づき変調されることにより複素数値変調シンボルが生成され、
前記ＰＵＳＣＨに対して変形プレコーディングが有効である場合に前記複素数値変調シンボルに対して変形プレコーディングが適用され、
前記ＤＣＩフォーマットがＣ−ＲＮＴＩによりスクランブルされたＣＲＣを伴い、前記ＰＵＳＣＨに対して変形プレコーディングが有効であり、かつ、上位層のパラメータＭＣＳ―Ｔａｂｌｅ―ＰＵＳＣＨ―ｔｐが第１の値にセットされていない場合に、前記所定の変調方式は第１のＭＣＳテーブル、および、前記ＤＣＩフォーマットに含まれるＭＣＳフィールドの値に少なくとも基づき与えられ、
前記ＤＣＩフォーマットがＣ−ＲＮＴＩによりスクランブルされたＣＲＣを伴い、前記ＰＵＳＣＨに対して変形プレコーディングが有効であり、前記上位層のパラメータＭＣＳ―Ｔａｂｌｅ―ＰＵＳＣＨ―ｔｐが前記第１の値にセットされている場合に、前記所定の変調方式は第２のＭＣＳテーブル、および、前記ＭＣＳフィールドの値に少なくとも基づき与えられ、
前記ＤＣＩフォーマットがＴＣ−ＲＮＴＩによりスクランブルされたＣＲＣを伴い、かつ、前記ＰＵＳＣＨに対して変形プレコーディングが有効である場合に、前記上位層のパラメータＭＣＳ―Ｔａｂｌｅ―ＰＵＳＣＨ―ｔｐの値にかかわらず、前記所定の変調方式は第１のＭＣＳテーブル、および、前記ＭＣＳフィールドの値に少なくとも基づき与えられる通信方法。
【請求項７】
ＰＵＳＣＨをスケジューリングするＤＣＩフォーマットを含むＰＤＣＣＨを送信するステップと、
前記ＰＵＳＣＨを受信するステップと、を備え、
前記ＰＵＳＣＨのトランスポートブロックが所定の変調方式に基づき変調されることにより複素数値変調シンボルが生成され、
前記ＰＵＳＣＨに対して変形プレコーディングが有効である場合に前記複素数値変調シンボルに対して変形プレコーディングが適用され、
前記ＤＣＩフォーマットがＴＣ−ＲＮＴＩによりスクランブルされたＣＲＣを伴い、かつ、前記ＰＵＳＣＨに対して変形プレコーディングが有効である場合に、前記所定の変調方式は第１のＭＣＳテーブル、および、前記ＤＣＩフォーマットに含まれるＭＣＳフィールドの値に少なくとも基づき与えられ、
前記ＤＣＩフォーマットがＣ−ＲＮＴＩによりスクランブルされたＣＲＣを伴う第１の上りリンクＤＣＩフォーマットであり、前記ＰＵＳＣＨに対して変形プレコーディングが有効であり、上位層のパラメータＭＣＳ―Ｔａｂｌｅ―ＰＵＳＣＨ―ｔｐが第１の値にセットされている場合に、前記所定の変調方式は第２のＭＣＳテーブル、および／または、前記ＭＣＳフィールドの値に少なくとも基づき与えられる通信方法。
【請求項８】
ＰＵＳＣＨをスケジューリングするＤＣＩフォーマットを含むＰＤＣＣＨを送信するステップと、
前記ＰＵＳＣＨを受信するステップと、を備え、
前記ＰＵＳＣＨのトランスポートブロックが所定の変調方式に基づき変調されることにより複素数値変調シンボルが生成され、
前記ＰＵＳＣＨに対して変形プレコーディングが有効である場合に前記複素数値変調シンボルに対して変形プレコーディングが適用され、
前記ＤＣＩフォーマットがＣ−ＲＮＴＩによりスクランブルされたＣＲＣを伴い、前記ＰＵＳＣＨに対して変形プレコーディングが有効であり、かつ、上位層のパラメータＭＣＳ―Ｔａｂｌｅ―ＰＵＳＣＨ―ｔｐが第１の値にセットされていない場合に、前記所定の
変調方式は第１のＭＣＳテーブル、および、前記ＤＣＩフォーマットに含まれるＭＣＳフィールドの値に少なくとも基づき与えられ、
前記ＤＣＩフォーマットがＣ−ＲＮＴＩによりスクランブルされたＣＲＣを伴い、前記ＰＵＳＣＨに対して変形プレコーディングが有効であり、前記上位層のパラメータＭＣＳ―Ｔａｂｌｅ―ＰＵＳＣＨ―ｔｐが前記第１の値にセットされている場合に、前記所定の変調方式は第２のＭＣＳテーブル、および、前記ＭＣＳフィールドの値に少なくとも基づき与えられ、
前記ＤＣＩフォーマットがＴＣ−ＲＮＴＩによりスクランブルされたＣＲＣを伴い、かつ、前記ＰＵＳＣＨに対して変形プレコーディングが有効である場合に、前記上位層のパラメータＭＣＳ―Ｔａｂｌｅ―ＰＵＳＣＨ―ｔｐの値にかかわらず、前記所定の変調方式は第１のＭＣＳテーブル、および、前記ＭＣＳフィールドの値に少なくとも基づき与えられる通信方法。
【発明の詳細な説明】
【技術分野】
【０００１】
本発明は、端末装置、基地局装置、および、通信方法に関する。
【背景技術】
【０００２】
セルラー移動通信の無線アクセス方式および無線ネットワーク（以下、「Long Term Evolution （LTE）」、または、「ＥＵＴＲＡ：Ｅｖｏｌｖｅｄ  Ｕｎｉｖｅｒｓａｌ  Ｔ
ｅｒｒｅｓｔｒｉａｌ  Ｒａｄｉｏ  Ａｃｃｅｓｓ」と称する。）が、第三世代パートナーシッププロジェクト（3GPP:3rd Generation Partnership Project）において検討され
ている。ＬＴＥにおいて、基地局装置はｅＮｏｄｅＢ（evolved NodeB）、端末装置はＵ
Ｅ（User Equipment）とも呼称される。ＬＴＥは、基地局装置がカバーするエリアをセル状に複数配置するセルラー通信システムである。単一の基地局装置は複数のサービングセルを管理してもよい。
【０００３】
３ＧＰＰでは、国際電気通信連合（ITU:International Telecommunication Union）が
策定する次世代移動通信システムの規格であるＩＭＴ（International Mobile Telecommunication）―２０２０に提案するため、次世代規格（NR: New Radio）の検討が行われて
いる（非特許文献１）。ＮＲは、単一の技術の枠組みにおいて、ｅＭＢＢ（enhanced Mobile BroadBand）、ｍＭＴＣ（massive Machine Type Communication）、ＵＲＬＬＣ（Ultra Reliable and Low Latency Communication）の３つのシナリオを想定した要求を満た
すことが求められている。
【先行技術文献】
【非特許文献】
【０００４】
【非特許文献１】"New SID proposal: Study on New Radio Access Technology"， RP-160671， NTT docomo， 3GPP TSG RAN Meeting #71，Goteborg， Sweden， 7th - 10th March， 2016．
【発明の概要】
【発明が解決しようとする課題】
【０００５】
本発明は、効率的に通信を行う端末装置、該端末装置に用いられる通信方法、効率的に通信を行う基地局装置、該基地局装置に用いられる通信方法を提供する。
【課題を解決するための手段】
【０００６】
（１）本発明の第１の態様は、端末装置であって、ＤＣＩフォーマットを含むＰＤＣＣＨを受信する受信部と、前記ＤＣＩフォーマットによりスケジューリングされるＰＵＳＣＨを送信する送信部と、を備え、前記ＰＵＳＣＨのトランスポートブロックが所定の変調方式に基づき変調されることにより複素数値変調シンボルが生成され、前記ＰＵＳＣＨに対して変形プレコーディングが有効である場合に前記複素数値変調シンボルに対して変形プレコーディングが適用され、前記ＤＣＩフォーマットがＴＣ−ＲＮＴＩによりスクランブルされたＣＲＣを伴い、かつ、前記ＰＵＳＣＨに対して変形プレコーディングが有効である場合に、前記所定の変調方式は第１のＭＣＳテーブル、および、前記ＤＣＩフォーマットに含まれるＭＣＳフィールドの値に少なくとも基づき与えられ、前記ＤＣＩフォーマットがＣ−ＲＮＴＩによりスクランブルされたＣＲＣを伴う第１の上りリンクＤＣＩフォーマットであり、前記ＰＵＳＣＨに対して変形プレコーディングが有効であり、上位層のパラメータＭＣＳ―Ｔａｂｌｅ―ＰＵＳＣＨ―ｔｐが第１の値にセットされている場合に、前記所定の変調方式は第２のＭＣＳテーブル、および／または、前記ＭＣＳフィールドの値に少なくとも基づき与えられる。
【０００７】
（２）本発明の第２の態様は、端末装置であって、ＤＣＩフォーマットを含むＰＤＣＣＨを受信する受信部と、前記ＤＣＩフォーマットによりスケジューリングされるＰＵＳＣＨを送信する送信部と、を備え、前記ＰＵＳＣＨのトランスポートブロックが所定の変調方式に基づき変調されることにより複素数値変調シンボルが生成され、前記ＰＵＳＣＨに対して変形プレコーディングが有効である場合に前記複素数値変調シンボルに対して変形プレコーディングが適用され、前記ＤＣＩフォーマットがＣ−ＲＮＴＩによりスクランブルされたＣＲＣを伴い、前記ＰＵＳＣＨに対して変形プレコーディングが有効であり、かつ、上位層のパラメータＭＣＳ―Ｔａｂｌｅ―ＰＵＳＣＨ―ｔｐが第１の値にセットされていない場合に、前記所定の変調方式は第１のＭＣＳテーブル、および、前記ＤＣＩフォーマットに含まれるＭＣＳフィールドの値に少なくとも基づき与えられ、前記ＤＣＩフォーマットがＣ−ＲＮＴＩによりスクランブルされたＣＲＣを伴い、前記ＰＵＳＣＨに対して変形プレコーディングが有効であり、前記上位層のパラメータＭＣＳ―Ｔａｂｌｅ―ＰＵＳＣＨ―ｔｐが前記第１の値にセットされている場合に、前記所定の変調方式は第２のＭＣＳテーブル、および、前記ＭＣＳフィールドの値に少なくとも基づき与えられ、前記ＤＣＩフォーマットがＴＣ−ＲＮＴＩによりスクランブルされたＣＲＣを伴い、かつ、前記ＰＵＳＣＨに対して変形プレコーディングが有効である場合に、前記上位層のパラメータＭＣＳ―Ｔａｂｌｅ―ＰＵＳＣＨ―ｔｐの値にかかわらず、前記所定の変調方式は第１のＭＣＳテーブル、および、前記ＭＣＳフィールドの値に少なくとも基づき与えられる。
【０００８】
（３）本発明の第３の態様は、基地局装置であって、ＰＵＳＣＨをスケジューリングするＤＣＩフォーマットを含むＰＤＣＣＨを送信する送信部と、前記ＰＵＳＣＨを受信する受信部と、を備え、前記ＰＵＳＣＨのトランスポートブロックが所定の変調方式に基づき変調されることにより複素数値変調シンボルが生成され、前記ＰＵＳＣＨに対して変形プレコーディングが有効である場合に前記複素数値変調シンボルに対して変形プレコーディングが適用され、前記ＤＣＩフォーマットがＴＣ−ＲＮＴＩによりスクランブルされたＣＲＣを伴い、かつ、前記ＰＵＳＣＨに対して変形プレコーディングが有効である場合に、前記所定の変調方式は第１のＭＣＳテーブル、および、前記ＤＣＩフォーマットに含まれるＭＣＳフィールドの値に少なくとも基づき与えられ、前記ＤＣＩフォーマットがＣ−ＲＮＴＩによりスクランブルされたＣＲＣを伴う第１の上りリンクＤＣＩフォーマットであり、前記ＰＵＳＣＨに対して変形プレコーディングが有効であり、上位層のパラメータＭＣＳ―Ｔａｂｌｅ―ＰＵＳＣＨ―ｔｐが第１の値にセットされている場合に、前記所定の変調方式は第２のＭＣＳテーブル、および／または、前記ＭＣＳフィールドの値に少なくとも基づき与えられる。
【０００９】
（４）本発明の第４の態様は、基地局装置であって、ＰＵＳＣＨをスケジューリングするＤＣＩフォーマットを含むＰＤＣＣＨを送信する送信部と、前記ＰＵＳＣＨを受信する受信部と、を備え、前記ＰＵＳＣＨのトランスポートブロックが所定の変調方式に基づき変調されることにより複素数値変調シンボルが生成され、前記ＰＵＳＣＨに対して変形プレコーディングが有効である場合に前記複素数値変調シンボルに対して変形プレコーディングが適用され、前記ＤＣＩフォーマットがＣ−ＲＮＴＩによりスクランブルされたＣＲＣを伴い、前記ＰＵＳＣＨに対して変形プレコーディングが有効であり、かつ、上位層のパラメータＭＣＳ―Ｔａｂｌｅ―ＰＵＳＣＨ―ｔｐが第１の値にセットされていない場合に、前記所定の変調方式は第１のＭＣＳテーブル、および、前記ＤＣＩフォーマットに含まれるＭＣＳフィールドの値に少なくとも基づき与えられ、前記ＤＣＩフォーマットがＣ−ＲＮＴＩによりスクランブルされたＣＲＣを伴い、前記ＰＵＳＣＨに対して変形プレコーディングが有効であり、前記上位層のパラメータＭＣＳ―Ｔａｂｌｅ―ＰＵＳＣＨ―ｔｐが前記第１の値にセットされている場合に、前記所定の変調方式は第２のＭＣＳテーブル、および、前記ＭＣＳフィールドの値に少なくとも基づき与えられ、前記ＤＣＩフォーマットがＴＣ−ＲＮＴＩによりスクランブルされたＣＲＣを伴い、かつ、前記ＰＵＳＣＨ
に対して変形プレコーディングが有効である場合に、前記上位層のパラメータＭＣＳ―Ｔａｂｌｅ―ＰＵＳＣＨ―ｔｐの値にかかわらず、前記所定の変調方式は第１のＭＣＳテーブル、および、前記ＭＣＳフィールドの値に少なくとも基づき与えられる。
【００１０】
（５）本発明の第５の態様は、端末装置の通信方法であって、ＤＣＩフォーマットを含むＰＤＣＣＨを受信するステップと、前記ＤＣＩフォーマットによりスケジューリングされるＰＵＳＣＨを送信するステップと、を備え、前記ＰＵＳＣＨのトランスポートブロックが所定の変調方式に基づき変調されることにより複素数値変調シンボルが生成され、前記ＰＵＳＣＨに対して変形プレコーディングが有効である場合に前記複素数値変調シンボルに対して変形プレコーディングが適用され、前記ＤＣＩフォーマットがＴＣ−ＲＮＴＩによりスクランブルされたＣＲＣを伴い、かつ、前記ＰＵＳＣＨに対して変形プレコーディングが有効である場合に、前記所定の変調方式は第１のＭＣＳテーブル、および、前記ＤＣＩフォーマットに含まれるＭＣＳフィールドの値に少なくとも基づき与えられ、前記ＤＣＩフォーマットがＣ−ＲＮＴＩによりスクランブルされたＣＲＣを伴う第１の上りリンクＤＣＩフォーマットであり、前記ＰＵＳＣＨに対して変形プレコーディングが有効であり、上位層のパラメータＭＣＳ―Ｔａｂｌｅ―ＰＵＳＣＨ―ｔｐが第１の値にセットされている場合に、前記所定の変調方式は第２のＭＣＳテーブル、および／または、前記ＭＣＳフィールドの値に少なくとも基づき与えられる。
【００１１】
（６）本発明の第６の態様は、通信方法であって、ＤＣＩフォーマットを含むＰＤＣＣＨを受信するステップと、前記ＤＣＩフォーマットによりスケジューリングされるＰＵＳＣＨを送信するステップと、を備え、前記ＰＵＳＣＨのトランスポートブロックが所定の変調方式に基づき変調されることにより複素数値変調シンボルが生成され、前記ＰＵＳＣＨに対して変形プレコーディングが有効である場合に前記複素数値変調シンボルに対して変形プレコーディングが適用され、前記ＤＣＩフォーマットがＣ−ＲＮＴＩによりスクランブルされたＣＲＣを伴い、前記ＰＵＳＣＨに対して変形プレコーディングが有効であり、かつ、上位層のパラメータＭＣＳ―Ｔａｂｌｅ―ＰＵＳＣＨ―ｔｐが第１の値にセットされていない場合に、前記所定の変調方式は第１のＭＣＳテーブル、および、前記ＤＣＩフォーマットに含まれるＭＣＳフィールドの値に少なくとも基づき与えられ、前記ＤＣＩフォーマットがＣ−ＲＮＴＩによりスクランブルされたＣＲＣを伴い、前記ＰＵＳＣＨに対して変形プレコーディングが有効であり、前記上位層のパラメータＭＣＳ―Ｔａｂｌｅ―ＰＵＳＣＨ―ｔｐが前記第１の値にセットされている場合に、前記所定の変調方式は第２のＭＣＳテーブル、および、前記ＭＣＳフィールドの値に少なくとも基づき与えられ、前記ＤＣＩフォーマットがＴＣ−ＲＮＴＩによりスクランブルされたＣＲＣを伴い、かつ、前記ＰＵＳＣＨに対して変形プレコーディングが有効である場合に、前記上位層のパラメータＭＣＳ―Ｔａｂｌｅ―ＰＵＳＣＨ―ｔｐの値にかかわらず、前記所定の変調方式は第１のＭＣＳテーブル、および、前記ＭＣＳフィールドの値に少なくとも基づき与えられる。
【００１２】
（７）本発明の第７の態様は、通信方法であって、ＰＵＳＣＨをスケジューリングするＤＣＩフォーマットを含むＰＤＣＣＨを送信するステップと、前記ＰＵＳＣＨを受信するステップと、を備え、前記ＰＵＳＣＨのトランスポートブロックが所定の変調方式に基づき変調されることにより複素数値変調シンボルが生成され、前記ＰＵＳＣＨに対して変形プレコーディングが有効である場合に前記複素数値変調シンボルに対して変形プレコーディングが適用され、前記ＤＣＩフォーマットがＴＣ−ＲＮＴＩによりスクランブルされたＣＲＣを伴い、かつ、前記ＰＵＳＣＨに対して変形プレコーディングが有効である場合に、前記所定の変調方式は第１のＭＣＳテーブル、および、前記ＤＣＩフォーマットに含まれるＭＣＳフィールドの値に少なくとも基づき与えられ、前記ＤＣＩフォーマットがＣ−ＲＮＴＩによりスクランブルされたＣＲＣを伴う第１の上りリンクＤＣＩフォーマットであり、前記ＰＵＳＣＨに対して変形プレコーディングが有効であり、上位層のパラメータ
ＭＣＳ―Ｔａｂｌｅ―ＰＵＳＣＨ―ｔｐが第１の値にセットされている場合に、前記所定の変調方式は第２のＭＣＳテーブル、および／または、前記ＭＣＳフィールドの値に少なくとも基づき与えられる。
【００１３】
（８）本発明の第８の態様は、通信方法であって、ＰＵＳＣＨをスケジューリングするＤＣＩフォーマットを含むＰＤＣＣＨを送信するステップと、前記ＰＵＳＣＨを受信するステップと、を備え、前記ＰＵＳＣＨのトランスポートブロックが所定の変調方式に基づき変調されることにより複素数値変調シンボルが生成され、前記ＰＵＳＣＨに対して変形プレコーディングが有効である場合に前記複素数値変調シンボルに対して変形プレコーディングが適用され、前記ＤＣＩフォーマットがＣ−ＲＮＴＩによりスクランブルされたＣＲＣを伴い、前記ＰＵＳＣＨに対して変形プレコーディングが有効であり、かつ、上位層のパラメータＭＣＳ―Ｔａｂｌｅ―ＰＵＳＣＨ―ｔｐが第１の値にセットされていない場合に、前記所定の変調方式は第１のＭＣＳテーブル、および、前記ＤＣＩフォーマットに含まれるＭＣＳフィールドの値に少なくとも基づき与えられ、前記ＤＣＩフォーマットがＣ−ＲＮＴＩによりスクランブルされたＣＲＣを伴い、前記ＰＵＳＣＨに対して変形プレコーディングが有効であり、前記上位層のパラメータＭＣＳ―Ｔａｂｌｅ―ＰＵＳＣＨ―ｔｐが前記第１の値にセットされている場合に、前記所定の変調方式は第２のＭＣＳテーブル、および、前記ＭＣＳフィールドの値に少なくとも基づき与えられ、前記ＤＣＩフォーマットがＴＣ−ＲＮＴＩによりスクランブルされたＣＲＣを伴い、かつ、前記ＰＵＳＣＨに対して変形プレコーディングが有効である場合に、前記上位層のパラメータＭＣＳ―Ｔａｂｌｅ―ＰＵＳＣＨ―ｔｐの値にかかわらず、前記所定の変調方式は第１のＭＣＳテーブル、および、前記ＭＣＳフィールドの値に少なくとも基づき与えられる。
【発明の効果】
【００１４】
この発明によれば、端末装置は効率的に通信を行うことができる。また、基地局装置は効率的に通信を行うことができる。
【図面の簡単な説明】
【００１５】
【図１】本実施形態の一態様に係る無線通信システムの概念図である。
【図２】本実施形態の一態様に係るＮｓｌｏｔｓｙｍｂ、サブキャリア間隔の設定μ、スロット設定、および、ＣＰ設定の関係を示す一例である。
【図３】本実施形態の一態様に係るサブフレームにおけるリソースグリッドの一例を示す概略図である。
【図４】本実施形態の一態様に係るＭＣＳのインデックスと、ＰＵＳＣＨの変調方式、ターゲット符号化率、および、周波数利用効率（Spectral efficiency）の対応を示す第１のＭＣＳテーブルの一例である。
【図５】本実施形態の一態様に係るＭＣＳのインデックスと、ＰＵＳＣＨの変調方式、ターゲット符号化率、および、周波数利用効率（Spectral efficiency）の対応を示す第２のＭＣＳテーブルの一例である。
【図６】本実施形態の一態様に係るＭＣＳのインデックスと、ＰＵＳＣＨの変調方式、ターゲット符号化率、および、周波数利用効率（Spectral efficiency）の対応を示す第３のＭＣＳテーブルの一例である。
【図７】本実施形態の一態様に係る端末装置１の構成を示す概略ブロック図である。
【図８】本実施形態の一態様に係る基地局装置３の構成を示す概略ブロック図である。
【発明を実施するための形態】
【００１６】
以下、本発明の実施形態について説明する。
【００１７】
図１は、本実施形態の一態様に係る無線通信システムの概念図である。図１において、
無線通信システムは、端末装置１Ａ〜１Ｃ、および基地局装置３を具備する。以下、端末装置１Ａ〜１Ｃを端末装置１とも呼称する。
【００１８】
以下、フレーム構成について説明する。
【００１９】
本実施形態の一態様に係る無線通信システムにおいて、ＯＦＤＭ（Orthogonal Frequency Division Multiplex）が少なくとも用いられる。ＯＦＤＭシンボルは、ＯＦＤＭの時
間領域の単位である。ＯＦＤＭシンボルは、少なくとも１または複数のサブキャリア（subcarrier）を含む。ＯＦＤＭシンボルは、ベースバンド信号生成において時間連続信号（time-continuous signal）に変換される。
【００２０】
サブキャリア間隔（SCS: SubCarrier Spacing）は、サブキャリア間隔Δｆ＝２μ・１
５ｋＨｚによって与えられてもよい。例えば、サブキャリア間隔の設定（subcarrier spacing configuration）μは０、１、２、３、４、および／または、５のいずれかに設定されてもよい。あるキャリアバンドパート（CBP: Carrier bandwidth part）のために、サ
ブキャリア間隔の設定μが上位層のパラメータにより与えられてもよい。
【００２１】
本実施形態の一態様に係る無線通信システムにおいて、時間領域の長さの表現のために時間単位（タイムユニット）Ｔｃが用いられる。時間単位Ｔｃは、Ｔｃ＝１／（Δｆｍａｘ・Ｎｆ）で与えられてもよい。Δｆｍａｘは、本実施形態の一態様に係る無線通信システムにおいてサポートされるサブキャリア間隔の最大値であってもよい。Δｆｍａｘは、Δｆｍａｘ＝４８０ｋＨｚであってもよい。Ｎｆは、Ｎｆ＝４０９６であってもよい。定数κは、κ＝Δｆｍａｘ・Ｎｆ／（ΔｆｒｅｆＮｆ，ｒｅｆ）＝６４である。Δｆｒｅｆは、１５ｋＨｚであってもよい。Ｎｆ，ｒｅｆは、２０４８であってもよい。
【００２２】
定数κは、参照サブキャリア間隔とＴｃの関係を示す値であってもよい。定数κはサブフレームの長さのために用いられてもよい。定数κに少なくとも基づき、サブフレームに含まれるスロットの数が与えられてもよい。Δｆｒｅｆは、参照サブキャリア間隔であり、Ｎｆ，ｒｅｆは、参照サブキャリア間隔に対応する値である。
【００２３】
下りリンクにおける送信、および／または、上りリンクにおける送信は、１０ｍｓのフレームにより構成される。フレームは、１０個のサブフレームを含んで構成される。サブフレームの長さは１ｍｓである。フレームの長さは、サブキャリア間隔Δｆに関わらず与えられてもよい。つまり、フレームの設定はμに関わらず与えられてもよい。サブフレームの長さは、サブキャリア間隔Δｆに関わらず与えられてもよい。つまり、サブフレームの設定はμに関わらず与えられてもよい。
【００２４】
あるサブキャリア間隔の設定μのために、サブフレームに含まれるスロットの数とインデックスが与えられてもよい。例えば、第１のスロット番号ｎμｓは、サブフレーム内において０からＮｓｕｂｆｒａｍｅ，μｓｌｏｔ−１の範囲で昇順に与えられてもよい。サブキャリア間隔の設定μのために、フレームに含まれるスロットの数とインデックスが与えられてもよい。例えば、第２のスロット番号ｎμｓ，ｆは、フレーム内において０からＮｆｒａｍｅ，μｓｌｏｔ−１の範囲で昇順に与えられてもよい。連続するＮｓｌｏｔｓｙｍｂ個のＯＦＤＭシンボルが１つのスロットに含まれてもよい。Ｎｓｌｏｔｓｙｍｂは、スロット設定（slot configuration）、および／または、ＣＰ（Cyclic Prefix）設定
の一部または全部に少なくとも基づき与えられてもよい。スロット設定は、上位層のパラメータｓｌｏｔ＿ｃｏｎｆｉｇｕｒａｔｉｏｎにより与えられてもよい。ＣＰ設定は、上位層のパラメータに少なくとも基づき与えられてもよい。ＣＰ設定は、専用ＲＲＣシグナリングに少なくとも基づき与えられてもよい。第１のスロット番号および第２のスロット番号は、スロット番号（スロットインデックス）とも呼称される。
【００２５】
図２は、本実施形態の一態様に係るＮｓｌｏｔｓｙｍｂ、サブキャリア間隔の設定μ、スロット設定、および、ＣＰ設定の関係を示す一例である。図２Ａにおいて、スロット設定が０であり、サブキャリア間隔の設定μが２であり、ＣＰ設定がノーマルＣＰ（normal
cyclic prefix）である場合、Ｎｓｌｏｔｓｙｍｂ＝１４、Ｎｆｒａｍｅ，μｓｌｏｔ＝４０、Ｎｓｕｂｆｒａｍｅ，μｓｌｏｔ＝４である。また、図２Ｂにおいて、スロット設定が０であり、サブキャリア間隔の設定μが２であり、ＣＰ設定が拡張ＣＰ（extended cyclic prefix）である場合、Ｎｓｌｏｔｓｙｍｂ＝１２、Ｎｆｒａｍｅ，μｓｌｏｔ＝４０、Ｎｓｕｂｆｒａｍｅ，μｓｌｏｔ＝４である。スロット設定０におけるＮｓｌｏｔｓｙｍｂは、スロット設定１におけるＮｓｌｏｔｓｙｍｂの２倍に対応してもよい。
【００２６】
以下、物理リソースについて説明を行う。
【００２７】
アンテナポートは、１つのアンテナポートにおいてシンボルが伝達されるチャネルが、同一のアンテナポートにおいてその他のシンボルが伝達されるチャネルから推定できることによって定義される。１つのアンテナポートにおいてシンボルが伝達されるチャネルの大規模特性（large scale property）が、もう一つのアンテナポートにおいてシンボルが伝達されるチャネルから推定できる場合、２つのアンテナポートはＱＣＬ（Quasi Co-Located）であると呼称される。大規模特性は、チャネルの長区間特性を少なくとも含んでもよい。大規模特性は、遅延拡がり（delay spread）、ドップラー拡がり（Doppler spread）、ドップラーシフト（Doppler shift）、平均利得（average gain）、平均遅延（average delay）、および、ビームパラメータ（spatial Rx parameters）の一部または全部を
少なくとも含んでもよい。第１のアンテナポートと第２のアンテナポートがビームパラメータに関してＱＣＬであるとは、第１のアンテナポートに対して受信側が想定する受信ビームと第２のアンテナポートに対して受信側が想定する受信ビームとが同一であることであってもよい。第１のアンテナポートと第２のアンテナポートがビームパラメータに関してＱＣＬであるとは、第１のアンテナポートに対して受信側が想定する送信ビームと第２のアンテナポートに対して受信側が想定する送信ビームとが同一であることであってもよい。端末装置１は、１つのアンテナポートにおいてシンボルが伝達されるチャネルの大規模特性が、もう一つのアンテナポートにおいてシンボルが伝達されるチャネルから推定できる場合、２つのアンテナポートはＱＣＬであることが想定されてもよい。２つのアンテナポートがＱＣＬであることは、２つのアンテナポートがＱＣＬであることが想定されることであってもよい。
【００２８】
サブキャリア間隔の設定とキャリアのセットのそれぞれのために、ＮμＲＢ，ｘＮＲＢｓｃ個のサブキャリアとＮ（μ）ｓｙｍｂＮｓｕｂｆｒａｍｅ，μｓｙｍｂ個のＯＦＤＭシンボルのリソースグリッドが与えられる。ＮμＲＢ，ｘは、キャリアｘのためのサブキャリア間隔の設定μのために与えられるリソースブロック数を示してもよい。ＮμＲＢ，ｘは、キャリアｘのためのサブキャリア間隔の設定μのために与えられるリソースブロックの最大数であってもよい。キャリアｘは下りリンクキャリアまたは上りリンクキャリアのいずれかを示す。つまり、ｘは“ＤＬ”、または、“ＵＬ”である。ＮμＲＢは、ＮμＲＢ，ＤＬ、および／または、ＮμＲＢ，ＵＬを含んだ呼称である。ＮＲＢｓｃは、１つのリソースブロックに含まれるサブキャリア数を示してもよい。アンテナポートｐごとに、および／または、サブキャリア間隔の設定μごとに、および／または、送信方向（Transmission direction）の設定ごとに少なくとも１つのリソースグリッドが与えられてもよい。送信方向は、少なくとも下りリンク（DL: DownLink）および上りリンク（UL: UpLink）を含む。以下、アンテナポートｐ、サブキャリア間隔の設定μ、および、送信方向の設定の一部または全部を少なくとも含むパラメータのセットは、第１の無線パラメータセットとも呼称される。つまり、リソースグリッドは、第１の無線パラメータセットごとに１つ与えられてもよい。
【００２９】
下りリンクにおいて、サービングセルに含まれるキャリアを下りリンクキャリア（または、下りリンクコンポーネントキャリア）と称する。上りリンクにおいて、サービングセルに含まれるキャリアを上りリンクキャリア（上りリンクコンポーネントキャリア）と称する。下りリンクコンポーネントキャリア、および、上りリンクコンポーネントキャリアを総称して、コンポーネントキャリア（または、キャリア）と称する。
【００３０】
第１の無線パラメータセットごとに与えられるリソースグリッドの中の各要素は、リソースエレメントと呼称される。リソースエレメントは周波数領域のインデックスｋｓｃと、時間領域のインデックスｌｓｙｍにより特定される。ある第１の無線パラメータセットのために、リソースエレメントは周波数領域のインデックスｋｓｃと、時間領域のインデックスｌｓｙｍにより特定される。周波数領域のインデックスｋｓｃと時間領域のインデックスｌｓｙｍにより特定されるリソースエレメントは、リソースエレメント（ｋｓｃ、ｌｓｙｍ）とも呼称される。周波数領域のインデックスｋｓｃは、０からＮμＲＢＮＲＢｓｃ−１のいずれかの値を示す。ＮμＲＢはサブキャリア間隔の設定μのために与えられるリソースブロック数であってもよい。ＮＲＢｓｃは、リソースブロックに含まれるサブキャリア数であり、ＮＲＢｓｃ＝１２である。周波数領域のインデックスｋｓｃは、サブキャリアインデックスｋｓｃに対応してもよい。時間領域のインデックスｌｓｙｍは、ＯＦＤＭシンボルインデックスｌｓｙｍに対応してもよい。
【００３１】
図３は、本実施形態の一態様に係るサブフレームにおけるリソースグリッドの一例を示す概略図である。図３のリソースグリッドにおいて、横軸は時間領域のインデックスｌｓｙｍであり、縦軸は周波数領域のインデックスｋｓｃである。１つのサブフレームにおいて、リソースグリッドの周波数領域はＮμＲＢＮＲＢｓｃ個のサブキャリアを含む。１つのサブフレームにおいて、リソースグリッドの時間領域は１４・２μ個のＯＦＤＭシンボルを含んでもよい。１つのリソースブロックは、ＮＲＢｓｃ個のサブキャリアを含んで構成される。リソースブロックの時間領域は、１ＯＦＤＭシンボルに対応してもよい。リソースブロックの時間領域は、１４ＯＦＤＭシンボルに対応してもよい。リソースブロックの時間領域は、１または複数のスロットに対応してもよい。リソースブロックの時間領域は、１つのサブフレームに対応してもよい。
【００３２】
端末装置１は、リソースグリッドのサブセットのみを用いて送受信を行うことが指示されてもよい。リソースグリッドのサブセットは、キャリアバンドパートとも呼称され、キャリアバンドパートは上位層のパラメータ、および／または、ＤＣＩの一部または全部に少なくとも基づき与えられてもよい。キャリアバンドパートをバンドパートとも称する（BP: bandwidth part）。つまり、端末装置１は、リソースグリッドのすべてのセットを用いて送受信を行なうことが指示されなくてもよい。つまり、端末装置１は、リソースグリッド内の一部の周波数リソースを用いて送受信を行なうことが指示されてもよい。１つのキャリアバンドパートは、周波数領域における複数のリソースブロックから構成されてもよい。１つのキャリアバンドパートは、周波数領域において連続する複数のリソースブロックから構成されてもよい。キャリアバンドパートは、ＢＷＰ（BandWidth Part）とも呼称される。下りリンクキャリアに対して設定されるキャリアバンドパートは、下りリンクキャリアバンドパートとも呼称される。上りリンクキャリアに対して設定されるキャリアバンドパートは、上りリンクキャリアバンドパートとも呼称される。
【００３３】
サービングセルのそれぞれに対して下りリンクキャリアバンドパートのセットが設定されてもよい。下りリンクキャリアバンドパートのセットは１または複数の下りリンクキャリアバンドパートを含んでもよい。サービングセルのそれぞれに対して上りリンクキャリアバンドパートのセットが設定されてもよい。上りリンクキャリアバンドパートのセットは１または複数の上りリンクキャリアバンドパートを含んでもよい。
【００３４】
上位層のパラメータは、上位層の信号に含まれるパラメータである。上位層の信号は、ＲＲＣ（Radio Resource Control）シグナリングであってもよいし、ＭＡＣ  ＣＥ（Medium Access Control Control Element）であってもよい。ここで、上位層の信号は、ＲＲ
Ｃ層の信号であってもよいし、ＭＡＣ層の信号であってもよい。
【００３５】
上位層の信号は、共通ＲＲＣシグナリング（common RRC signaling）であってもよい。共通ＲＲＣシグナリングは、以下の特徴Ｃ１から特徴Ｃ３の一部または全部を少なくとも備えてもよい。
特徴Ｃ１）ＢＣＣＨロジカルチャネル、または、ＣＣＣＨロジカルチャネルにマップされる
特徴Ｃ２）ｒａｄｉｏＲｅｓｏｕｒｃｅＣｏｎｆｉｇＣｏｍｍｏｎ情報要素を少なくとも含む
特徴Ｃ３）ＰＢＣＨにマップされる
【００３６】
ｒａｄｉｏＲｅｓｏｕｒｃｅＣｏｎｆｉｇＣｏｍｍｏｎ情報要素は、サービングセルにおいて共通に用いられる設定を示す情報を含んでもよい。サービングセルにおいて共通に用いられる設定は、ＰＲＡＣＨの設定を少なくとも含んでもよい。該ＰＲＡＣＨの設定は、１または複数のランダムアクセスプリアンブルインデックスを少なくとも示してもよい。該ＰＲＡＣＨの設定は、ＰＲＡＣＨの時間／周波数リソースを少なくとも示してもよい。
【００３７】
上位層の信号は、専用ＲＲＣシグナリング（dedicated RRC signaling）であってもよ
い。専用ＲＲＣシグナリングは、以下の特徴Ｄ１からＤ２の一部または全部を少なくとも備えてもよい。
特徴Ｄ１）ＤＣＣＨロジカルチャネルにマップされる
特徴Ｄ２）ｒａｄｉｏＲｅｓｏｕｒｃｅＣｏｎｆｉｇＤｅｄｉｃａｔｅｄ情報要素を少なくとも含む
【００３８】
ｒａｄｉｏＲｅｓｏｕｒｃｅＣｏｎｆｉｇＤｅｄｉｃａｔｅｄ情報要素は、端末装置１に固有の設定を示す情報を少なくとも含んでもよい。ｒａｄｉｏＲｅｓｏｕｒｃｅＣｏｎｆｉｇＤｅｄｉｃａｔｅｄ情報要素は、キャリアバンドパートの設定を示す情報を少なくとも含んでもよい。該キャリアバンドパートの設定は、該キャリアバンドパートの周波数リソースを少なくとも示してもよい。
【００３９】
例えば、ＭＩＢ、第１のシステム情報、および、第２のシステム情報は共通ＲＲＣシグナリングに含まれてもよい。また、ＤＣＣＨロジカルチャネルにマップされ、かつ、ｒａｄｉｏＲｅｓｏｕｒｃｅＣｏｎｆｉｇＣｏｍｍｏｎを少なくとも含む上位層のメッセージは、共通ＲＲＣシグナリングに含まれてもよい。また、ＤＣＣＨロジカルチャネルにマップされ、かつ、ｒａｄｉｏＲｅｓｏｕｒｃｅＣｏｎｆｉｇＣｏｍｍｏｎ情報要素を含まない上位層のメッセージは、専用ＲＲＣシグナリングに含まれてもよい。また、ＤＣＣＨロジカルチャネルにマップされ、かつ、ｒａｄｉｏＲｅｓｏｕｒｃｅＣｏｎｆｉｇＤｅｄｉｃａｔｅｄ情報要素を少なくとも含む上位層のメッセージは、専用ＲＲＣシグナリングに含まれてもよい。
【００４０】
第１のシステム情報は、ＳＳ（Synchronization Signal）ブロックの時間インデックスを少なくとも示してもよい。ＳＳブロック（SS block）は、ＳＳ／ＰＢＣＨブロック（SS/PBCH block）とも呼称される。第１のシステム情報は、ＰＲＡＣＨリソースに関連する
情報を少なくとも含んでもよい。第１のシステム情報は、初期接続の設定に関連する情報を少なくとも含んでもよい。第２のシステム情報は、第１のシステム情報以外のシステム
情報であってもよい。
【００４１】
ｒａｄｉｏＲｅｓｏｕｒｃｅＣｏｎｆｉｇＤｅｄｉｃａｔｅｄ情報要素は、ＰＲＡＣＨリソースに関連する情報を少なくとも含んでもよい。ｒａｄｉｏＲｅｓｏｕｒｃｅＣｏｎｆｉｇＤｅｄｉｃａｔｅｄ情報要素は、初期接続の設定に関連する情報を少なくとも含んでもよい。
【００４２】
以下、本実施形態の種々の態様に係る物理チャネルおよび物理シグナルを説明する。
【００４３】
上りリンク物理チャネルは、上位層において発生する情報を運ぶリソースエレメントのセットに対応してもよい。上りリンク物理チャネルは、上りリンクキャリアにおいて用いられる物理チャネルである。本実施形態の一態様に係る無線通信システムにおいて、少なくとも下記の一部または全部の上りリンク物理チャネルが用いられる。
・ＰＵＣＣＨ（Physical Uplink Control CHannel）
・ＰＵＳＣＨ（Physical Uplink Shared CHannel）
・ＰＲＡＣＨ（Physical Random Access CHannel）
【００４４】
ＰＵＣＣＨは、上りリンク制御情報（UCI:Uplink Control Information）を送信するために用いられてもよい。上りリンク制御情報は、チャネル状態情報（CSI:Channel State Information）、スケジューリングリクエスト（SR:Scheduling Request）、トランスポートブロック（TB:Transport block， MAC PDU:Medium Access Control Protocol Data Unit， DL-SCH:Downlink-Shared Channel， PDSCH:Physical Downlink Shared Channel）に
対応するＨＡＲＱ−ＡＣＫ（Hybrid Automatic Repeat request ACKnowledgement）の一
部または全部を含む。
【００４５】
ＨＡＲＱ−ＡＣＫは、１つのトランスポートブロックに少なくとも対応するＨＡＲＱ−ＡＣＫビットを少なくとも含んでもよい。ＨＡＲＱ−ＡＣＫビットは、１または複数のトランスポートブロックに対応するＡＣＫ（acknowledgement）またはＮＡＣＫ（negative-acknowledgement）を示してもよい。ＨＡＲＱ−ＡＣＫは、１または複数のＨＡＲＱ−Ａ
ＣＫビットを含むＨＡＲＱ−ＡＣＫコードブックを少なくとも含んでもよい。ＨＡＲＱ−ＡＣＫビットが１または複数のトランスポートブロックに対応することは、ＨＡＲＱ−ＡＣＫビットが該１または複数のトランスポートブロックを含むＰＤＳＣＨに対応することであってもよい。
【００４６】
ＨＡＲＱ−ＡＣＫビットは、トランスポートブロックに含まれる１つのＣＢＧ（Code Block Group）に対応するＡＣＫまたはＮＡＣＫを示してもよい。ＨＡＲＱ−ＡＣＫは、ＨＡＲＱフィードバック、ＨＡＲＱ情報、ＨＡＲＱ制御情報とも呼称される。
【００４７】
スケジューリングリクエストは、初期送信のためのＰＵＳＣＨのリソースを要求するために少なくとも用いられてもよい。
【００４８】
チャネル状態情報は、チャネル品質指標（CQI: Channel Quality Indicator）、プレコーダ行列指標（PMI:Precoder Matrix Indicator）、および、ランク指標（RI: Rank Indicator）の一部または全部を少なくとも含んでもよい。ＣＱＩは、チャネルの品質（例え
ば、伝搬強度）に関連する指標であり、ＰＭＩは、プレコーダを指示する指標である。ＲＩは、送信ランク（または、送信レイヤ数）を指示する指標である。
【００４９】
ＰＵＳＣＨは、トランスポートブロック（TB， MAC PDU， UL-SCH， PUSCH）を送信す
るために少なくとも用いられる。ＰＵＳＣＨは、トランスポートブロック、ＨＡＲＱ−ＡＣＫ、チャネル状態情報、および、スケジューリングリクエストの一部または全部を少な
くとも送信するために用いられてもよい。ＰＵＳＣＨは、ランダムアクセスメッセージ３を送信するために少なくとも用いられる。
【００５０】
ＰＵＳＣＨは、スクランブリング（Scrambling）、変調（Modulation）、レイヤマッピング（Layer mapping）、変形プレコーディング（Transform precoding）、プレコーディング（Precoding）、および、リソースブロックマッピング（Mapping to resource blocks）の一部または全部に少なくとも基づき与えられてもよい（生成されてもよい）。
【００５１】
スクランブリングは、ビットのブロックｂｓｅｑをスクランブリング系列ｃｓｅｑに基づきスクランブルし、ビットの系列ｂｓｓｅｑを出力することである。ｂｓｅｑ（ｉ１）は、ビットのブロックｂｓｅｑのｉ１番目のビット値を示す。ｉ１は、０からＭｂｉｔ−１までの範囲の整数値を示す。ｂｓｓｅｑ（ｉ１）は、ビットのブロックｂｓｓｅｑのｉ１番目のビット値を示す。ｃｓｅｑ（ｉ１）は、スクランブリング系列のｉ１番目のビット値を示す。Ｍｂｉｔは、該ビットのブロックｂｓｅｑに含まれるビットの数を示す。該ビットｂｓｅｑ（ｉ１）は、トランスポートブロックの符号化ビットとも呼称される。該ビットｂｓｅｑ（ｉ１）は、コードワードの符号化ビットとも呼称される。該ビットのブロックｂｓｅｑは、上位層より渡されてもよい。
【００５２】
該ビットｂｓｓｅｑ（ｉ１）は、ｂｓｓｅｑ（ｉ１）＝ｍｏｄ（ｂｓｅｑ（ｉ１）＋ｃｓｅｑ（ｉ１），２）に少なくとも基づき与えられる。ｍｏｄ（Ｘ，Ｙ）は、ＸをＹで割った余りを出力する関数であってもよい。ｍｏｄ（Ｘ，Ｙ）は、ＸのＹによる剰余を出力する関数であってもよい。該ｂｓｅｑ（ｉ１）は、データの符号化ビットに対応してもよい。該ｂｓｓｅｑ（ｉ１）は、ＣＱＩの符号化ビットに対応してもよい。該ｂｓｓｅｑ（ｉ１）は、ランクの符号化ビットに対応してもよい。該ｂｓｓｅｑ（ｉ１）は、ＨＡＲＱ−ＡＣＫの符号化ビットに対応してもよい。
【００５３】
スクランブリング系列ｃｓｅｑは、セルＩＤに少なくとも基づき与えられてもよい。
【００５４】
変調は、ビットのブロックｂｓｓｅｑを所定の変調方式に基づき変調し、複素数値変調シンボルｄｓｅｑを出力することである。ｄｓｅｑ（ｉ２）は、複素数値変調シンボルｄｓｅｑのｉ２番目の複素数値変調シンボルを示す。該ｉ２は、０からＭｓｙｍｂ−１までの範囲の整数値を示す。該Ｍｓｙｍｂは、該複素数値変調シンボルｄｓｅｑに含まれる複素数値変調シンボルの数を示す。ＰＵＳＣＨに対して変形プレコーディングが無効である場合に、該所定の変調方式は、ＱＰＳＫ（Quadrature Phase Shift Keying）、１６ＱＡ
Ｍ（quadrature amplitude modulation）、６４ＱＡＭ、および／または、２５６ＱＡＭ
の一部または全部を少なくとも含んでもよい。ＰＵＳＣＨに対して変形プレコーディングが有効である場合に、該所定の変調方式は、π／２―ＢＰＳＫ（Binary Phase Shift Keying）、ＱＰＳＫ、１６ＱＡＭ、６４ＱＡＭ、および／または、２５６ＱＡＭの一部また
は全部を少なくとも含んでもよい。ＰＵＳＣＨに対して変形プレコーディングが無効であることは、ＰＵＳＣＨに対して変形プレコーディングが適用されないことであってもよい。ＰＵＳＣＨに対して変形プレコーディングが有効であることは、ＰＵＳＣＨに対して変形プレコーディングが適用されることであってもよい。ＰＵＳＣＨに対して変形プレコーディングが有効であるか否かは、上位層のパラメータに少なくとも基づき与えられてもよい。ＰＵＳＣＨに対して変形プレコーディングが無効であることは、ＰＵＳＣＨに対して変形プレコーディングが有効でないことであってもよい。該所定の変調方式の選択方法は後述される。
【００５５】
レイヤマッピングは、複素数値変調シンボルｄｓｅｑを１または複数のレイヤにマップし、ベクトルのブロックｘｌａｙｅｒｓｅｑを出力することである。ｘｌａｙｅｒｓｅｑ（ｉ３）は、ベクトルのブロックｘｌａｙｅｒｓｅｑのｉ３番目のベクトルを示す。該ｉ
３は、０からＭｌａｙｅｒｓｅｑ−１までの範囲の整数値を示す。Ｍｌａｙｅｒｓｅｑは、ベクトルのブロックｘｌａｙｅｒｓｅｑに含まれるベクトルの数を示す。ｘｌａｙｅｒｓｅｑ（ｉ３）＝［ｘ（０）ｓｅｑ（ｉ３），．．．，ｘ（ν−１）ｓｅｑ（ｉ３）］Ｔである。［Ａ１，．．．ＡＸ］は、要素Ａ１から要素ＡＸまでの各要素により与えられる行ベクトルを示す。ＡＴは、行ベクトルＡの転置を示す。該νはレイヤの数を示す。νは１から４のいずれかの値であってもよい。ｘ（λ）ｓｅｑ（ｉ３）は、λ番目のレイヤの複素数値変調シンボルｘ（λ）ｓｅｑのｉ３番目の複素数値変調シンボルである。
【００５６】
変形プレコーディングは、ベクトルのブロックｘｌａｙｅｒｓｅｑに基づき、ベクトルのブロックｙｌａｙｅｒｓｅｑを出力することである。ｙｌａｙｅｒｓｅｑ（ｉ４）は、ベクトルのブロックｙｌａｙｅｒｓｅｑのｉ４番目のベクトルを示す。該ｉ４は、０からＭｌａｙｅｒｓｅｑ−１までの範囲の整数値を示す。ｙｌａｙｅｒｓｅｑ（ｉ４）＝［ｙ（０）ｓｅｑ（ｉ４），．．．，ｙ（ν−１）ｓｅｑ（ｉ４）］である。ｙ（λ）ｓｅｑ（ｉ４）は、λ番目のレイヤの複素数値変調シンボルｙ（λ）ｓｅｑのｉ４番目の複素数値変調シンボルである。
【００５７】
ＰＵＳＣＨに対して変形プレコーディングが無効である場合、ｙ（λ）ｓｅｑがｘ（λ）ｓｅｑにセットされる。ＰＵＳＣＨに対して変形プレコーディングが有効である場合、ｙ（λ）ｓｅｑは、ｘ（λ）ｓｅｑに対して所定の変形プレコーディングが適用されることに基づき与えられてもよい。該所定の変形プレコーディングは、ＤＦＴ（Discrete Fourier transform）プレコーディングとも呼称される。ｙ（λ）ｓｅｑが数式（１）により与えられてもよい。
【数１】
2019134354.tif 000003
【００５８】
数式（１）において、該ｋは周波数領域のインデックスである。該ｋは、０からＭＰＵＳＣＨｓｃ−１までの範囲の整数値を示す。該ｌは時間領域のインデックスである。該ｌは、０からＭｌａｙｅｒｓｅｑ／ＭＰＵＳＣＨｓｃ−１までの範囲の整数値を示す。ＭＰＵＳＣＨｓｃ＝ＭＰＵＳＣＨＲＢ・ＭＲＢｓｃである。ＭＰＵＳＣＨＲＢは、リソースブロックの数により与えられるＰＵＳＣＨの帯域を示す。つまり、ＭＰＵＳＣＨｓｃは、ＰＵＳＣＨのサブキャリア数を示してもよい。ＰＵＳＣＨに対して変形プレコーディングが有効である場合に、ν＝１であってもよい。
【００５９】
周波数領域のインデックスｋは、ＰＵＳＣＨが割り当てられる帯域における周波数領域のインデックスを示してもよい。時間領域のインデックスは、ＰＵＳＣＨが割り当てられるＯＦＤＭシンボルにおける時間領域のインデックスを示してもよい。
【００６０】
プレコーディングは、ベクトルのブロックｙｌａｙｅｒｓｅｑにプレコーディングＷを適用し、ベクトルのブロックｚａｐｓｅｑを出力することである。ｐはアンテナポートのインデックスである。ｚａｐｓｅｑ（ｉ５）は、ベクトルのブロックｚａｐｓｅｑのｉ５番目のベクトルを示す。該ｉ５は、０からＭａｐｓｅｑ−１までの範囲の整数値を示す。Ｍａｐｓｅｑは、ベクトルのブロックｚａｐｓｅｑに含まれるベクトルの数を示す。ｚａｐｓｅｑ（ｉ５）＝［ｚ（０）ｓｅｑ（ｉ５），．．．，ｚ（Ｐ−１）ｓｅｑ（ｉ５）］である。ｚ（ｐ）ｓｅｑ（ｉ５）は、ｐ番目のアンテナポートの複素数値変調シンボルｚ（ｐ）ｓｅｑのｉ５番目の複素数値変調シンボルである。ベクトルのブロックｙｌａｙｅｒｓｅｑにプレコーディングＷが適用されることは、ベクトルのブロックｙｌａｙｅｒｓｅｑにプレコーディングＷが乗算されることであってもよい。
【００６１】
リソースブロックマッピングは、ベクトルのブロックｚａｐｓｅｑをリソースブロックにマップすることである。
【００６２】
ＰＲＡＣＨは、ランダムアクセスプリアンブル（ランダムアクセスメッセージ１）を送信するために少なくとも用いられる。ＰＲＡＣＨは、初期コネクション確立（initial connection establishment）プロシージャ、ハンドオーバプロシージャ、コネクション再確立（connection re-establishment）プロシージャ、ＰＵＳＣＨの送信に対する同期（タ
イミング調整）、およびＰＵＳＣＨのためのリソースの要求の一部または全部を示すために少なくとも用いられてもよい。ランダムアクセスプリアンブルは、端末装置１の上位層より与えられるインデックス（ランダムアクセスプリアンブルインデックス）を基地局装置３に通知するために用いられてもよい。
【００６３】
ランダムアクセスプリアンブルは、物理ルートシーケンスインデックスｕに対応するＺａｄｏｆｆ−Ｃｈｕ系列をサイクリックシフトすることによって与えられてもよい。Ｚａｄｏｆｆ−Ｃｈｕ系列は、物理ルートシーケンスインデックスｕに基づいて生成されてもよい。１つのサービングセル（serving cell）において、複数のランダムアクセスプリアンブルが定義されてもよい。ランダムアクセスプリアンブルは、ランダムアクセスプリアンブルのインデックスに少なくとも基づき特定されてもよい。ランダムアクセスプリアンブルの異なるインデックスに対応する異なるランダムアクセスプリアンブルは、物理ルートシーケンスインデックスｕとサイクリックシフトの異なる組み合わせに対応してもよい。物理ルートシーケンスインデックスｕ、および、サイクリックシフトは、システム情報に含まれる情報に少なくとも基づいて与えられてもよい。物理ルートシーケンスインデックスｕは、ランダムアクセスプリアンブルに含まれる系列を識別するインデックスであってもよい。ランダムアクセスプリアンブルは、物理ルートシーケンスインデックスｕに少なくとも基づき特定されてもよい。
【００６４】
図１において、上りリンクの無線通信では、以下の上りリンク物理シグナルが用いられる。上りリンク物理シグナルは、上位層から出力された情報を送信するために使用されなくてもよいが、物理層によって使用される。
・ＵＬ  ＤＭＲＳ（UpLink Demodulation Reference Signal）
・ＳＲＳ（Sounding Reference Signal）
・ＵＬ  ＰＴＲＳ（UpLink Phase Tracking Reference Signal）
【００６５】
ＵＬ  ＤＭＲＳは、ＰＵＳＣＨ、および／または、ＰＵＣＣＨの送信に関連する。ＵＬ
ＤＭＲＳは、ＰＵＳＣＨまたはＰＵＣＣＨと多重される。基地局装置３は、ＰＵＳＣＨまたはＰＵＣＣＨの伝搬路補正を行なうためにＵＬ  ＤＭＲＳを使用してよい。以下、ＰＵＳＣＨと、該ＰＵＳＣＨに関連するＵＬ  ＤＭＲＳを共に送信することを、単に、ＰＵＳＣＨを送信する、と称する。以下、ＰＵＣＣＨと該ＰＵＣＣＨに関連するＵＬ  ＤＭＲＳを共に送信することを、単に、ＰＵＣＣＨを送信する、と称する。ＰＵＳＣＨに関連するＵＬ  ＤＭＲＳは、ＰＵＳＣＨ用ＵＬ  ＤＭＲＳとも称される。ＰＵＣＣＨに関連するＵＬ  ＤＭＲＳは、ＰＵＣＣＨ用ＵＬ  ＤＭＲＳとも称される。
【００６６】
ＰＵＳＣＨ用ＤＭＲＳの系列ｒ（ｍ）は、ＰＵＳＣＨ用ＤＭＲＳに関連する識別子ｎＳＣＩＤに少なくとも基づき与えられてもよい。ＰＵＳＣＨ用ＤＭＲＳの系列ｒ（ｍ）は、数式（２）および数式（３）に基づき与えられてもよい。
【数２】
2019134354.tif 000004
【数３】
2019134354.tif 000005
【００６７】
ｃ（ｘ）は、疑似ランダム系列ｃのｘ番目の値であってもよい。疑似ランダム系列ｃは、少なくともゴールド系列を用いて生成されてもよい。ゴールド系列の長さは３１であってもよい。ｃｉｎｉｔは、疑似ランダム系列ｃの初期化のために用いられる値であってもよい。ＮＩＤは、セルＩＤに少なくとも基づき与えられてもよい。
【００６８】
ＳＲＳは、ＰＵＳＣＨまたはＰＵＣＣＨの送信に関連しなくてもよい。基地局装置３は、チャネル状態の測定のためにＳＲＳを用いてもよい。ＳＲＳは、上りリンクスロットにおけるサブフレームの最後、または、最後から所定数のＯＦＤＭシンボルにおいて送信されてもよい。
【００６９】
ＵＬ  ＰＴＲＳは、位相トラッキングのために少なくとも用いられる参照信号であってもよい。ＵＬ  ＰＴＲＳは、１または複数のＵＬ  ＤＭＲＳに用いられるアンテナポートを少なくとも含むＵＬ  ＤＭＲＳグループに関連してもよい。ＵＬ  ＰＴＲＳとＵＬ  ＤＭＲＳグループが関連することは、ＵＬ  ＰＴＲＳのアンテナポートとＵＬ  ＤＭＲＳグループに含まれるアンテナポートの一部または全部が少なくともＱＣＬであることであってもよい。ＵＬ  ＤＭＲＳグループは、ＵＬ  ＤＭＲＳグループに含まれるＵＬ  ＤＭＲＳにおいて最も小さいインデックスのアンテナポートに少なくとも基づき識別されてもよい。ＵＬ  ＰＴＲＳは、１つのコードワードがマップされる１または複数のアンテナポートにおいて、最もインデックスの小さいアンテナポートにマップされてもよい。ＵＬ  ＰＴＲＳは、１つのコードワードが第１のレイヤ及び第２のレイヤに少なくともマップされる場合に、該第１のレイヤにマップされてもよい。ＵＬ  ＰＴＲＳは、該第２のレイヤにマップされなくてもよい。ＵＬ  ＰＴＲＳがマップされるアンテナポートのインデックスは、下りリンク制御情報に少なくとも基づき与えられてもよい。
【００７０】
図１において、基地局装置３から端末装置１への下りリンクの無線通信では、以下の下りリンク物理チャネルが用いられる。下りリンク物理チャネルは、上位層から出力された情報を送信するために、物理層によって使用される。
・ＰＢＣＨ（Physical Broadcast Channel）
・ＰＤＣＣＨ（Physical Downlink Control Channel）
・ＰＤＳＣＨ（Physical Downlink Shared Channel）
【００７１】
ＰＢＣＨは、マスターインフォメーションブロック（MIB:Master Information Block，
BCH， Broadcast Channel）を送信するために少なくとも用いられる。ＰＢＣＨは、所定の送信間隔に基づき送信されてもよい。ＰＢＣＨは、８０ｍｓの間隔で送信されてもよい。ＰＢＣＨは、１６０ｍｓの間隔で送信されてもよい。ＰＢＣＨに含まれる情報の中身は、８０ｍｓごとに更新されてもよい。ＰＢＣＨに含まれる情報の一部または全部は、１６０ｍｓごとに更新されてもよい。ＰＢＣＨは、２８８サブキャリアにより構成されてもよい。ＰＢＣＨは、２、３、または、４つのＯＦＤＭシンボルを含んで構成されてもよい。ＭＩＢは、同期信号の識別子（インデックス）に関連する情報を含んでもよい。ＭＩＢは
、ＰＢＣＨが送信されるスロットの番号、サブフレームの番号、および／または、無線フレームの番号の少なくとも一部を指示する情報を含んでもよい。
【００７２】
ＰＤＣＣＨは、下りリンク制御情報（DCI:Downlink Control Information）の送信のために少なくとも用いられる。ＰＤＣＣＨは、下りリンク制御情報を少なくとも含んで送信されてもよい。ＰＤＣＣＨは下りリンク制御情報を含んでもよい。下りリンク制御情報は、ＤＣＩフォーマットとも呼称される。下りリンク制御情報は、下りリンクグラント（downlink grant）または上りリンクグラント（uplink grant）のいずれかを少なくとも含んでもよい。ＰＤＳＣＨのスケジューリングのために用いられるＤＣＩフォーマットは、下りリンクＤＣＩフォーマットとも呼称される。ＰＵＳＣＨのスケジューリングのために用いられるＤＣＩフォーマットは、上りリンクＤＣＩフォーマットとも呼称される。下りリンクグラントは、下りリンクアサインメント（downlink assignment）または下りリンク
割り当て（downlink allocation）とも呼称される。上りリンクＤＣＩフォーマットは、
第１の上りリンクＤＣＩフォーマットおよび第２の上りリンクＤＣＩフォーマットの一方または両方を少なくとも含む。
【００７３】
第１の上りリンクＤＣＩフォーマットは、１Ａから１Ｆの一部または全部を少なくとも含んで構成される。
１Ａ）ＤＣＩフォーマット特定フィールド（Identifier for DCI formats field）
１Ｂ）周波数領域のリソース割り当てフィールド（Frequency domain resource assignment field）
１Ｃ）時間領域のリソース割り当てフィールド（Time domain resource assignment field）
１Ｄ）周波数ホッピングフラグフィールド（Frequency hopping flag field）
１Ｅ）ＭＣＳフィールド（MCS field: Modulation and Coding Scheme field）
１Ｆ）第１のＣＳＩリスエストフィールド（First CSI request field）
【００７４】
ＤＣＩフォーマット特定フィールドは、該ＤＣＩフォーマット特定フィールドを含むＤＣＩフォーマットが１または複数のＤＣＩフォーマットのいずれに対応するかを示すために少なくとも用いられてもよい。該１または複数のＤＣＩフォーマットは、下りリンクＤＣＩフォーマット、第１の上りリンクＤＣＩフォーマット、および／または、第２のＤＣＩフォーマットの一部または全部に少なくとも基づき与えられてもよい。該１または複数のＤＣＩフォーマットは、下りリンクＤＣＩフォーマット、第１の上りリンクＤＣＩフォーマット、および／または、第２のＤＣＩフォーマットの一部または全部を少なくとも含んでもよい。
【００７５】
周波数領域のリソース割り当てフィールドは、該周波数領域のリソース割り当てフィールドを含むＤＣＩフォーマットによりスケジューリングされるＰＵＳＣＨのための周波数リソースの割り当てを示すために少なくとも用いられてもよい。
【００７６】
時間領域のリソース割り当てフィールドは、該時間領域のリソース割り当てフィールドを含むＤＣＩフォーマットによりスケジューリングされるＰＵＳＣＨのための時間リソースの割り当てを示すために少なくとも用いられてもよい。
【００７７】
周波数ホッピングフラグフィールドは、該周波数ホッピングフラグフィールドを含むＤＣＩフォーマットによりスケジューリングされるＰＵＳＣＨに対して周波数ホッピングが適用されるか否かを示すために少なくとも用いられてもよい。
【００７８】
ＭＣＳフィールドは、該ＭＣＳフィールドを含むＤＣＩフォーマットによりスケジューリングされるＰＵＳＣＨのための変調方式、および／または、ターゲット符号化率の一部
または全部を示すために少なくとも用いられてもよい。該ターゲット符号化率は、該ＰＵＳＣＨのトランスポートブロックのためのターゲット符号化率であってもよい。該トランスポートブロックのサイズ（TBS: Transport Block Size）は、該ターゲット符号化率に
少なくとも基づき与えられてもよい。
【００７９】
図４は、本実施形態の一態様に係るＭＣＳのインデックスと、ＰＵＳＣＨの変調方式、ターゲット符号化率、および、周波数利用効率（Spectral efficiency）の対応を示す第
１のＭＣＳテーブルの一例である。ＭＣＳフィールドは、ＭＣＳのインデックスを示す。ＭＣＳのインデックスのそれぞれは、変調方式、ターゲット符号化率、および／または、周波数利用効率の一部または全部に対応してもよい。例えば、図４において、ＭＣＳのインデックス０は、変調方式の変調次数（Modulation order）＝２、ターゲット符号化率＝１２０／１０２４、周波数利用効率＝０．２３４４に対応している。ここで、変調方式の変調次数は、１つのリソースエレメントで送信されるビットの数に対応してもよい。ＱＰＳＫ変調方式は、変調方式の変調次数が２であることに対応してもよい。１６ＱＡＭ変調方式は、変調方式の変調次数が４であることに対応してもよい。６４ＱＡＭ変調方式は、変調方式の変調次数が６であることに対応してもよい。第１のＭＣＳテーブルは、図４に含まれるＭＣＳのインデックスと、該ＭＣＳインデックスに対応する変調方式、ターゲット符号化率、および／または、周波数利用効率のセットの一部または全部を少なくとも含んで構成されてもよい。
【００８０】
図４におけるＭＣＳのインデックス２９、３０、および、３１に対応するターゲット符号化率、および、周波数利用効率は予約済み（Reserved）に設定される。予約済みに設定されるターゲット符号化率、および／または、予約済みに設定される周波数利用効率に対応するＭＣＳのインデックスは、特別なＭＣＳのインデックス（Special MCS field）と
も呼称される。つまり、図４におけるＭＣＳのインデックス２９、３０、および、３１は、特別なＭＣＳのインデックスである。図４におけるＭＣＳのインデックス２９、３０、および、３１に対応するターゲット符号化率、および／または、周波数利用効率の一部または全部は、同じトランスポートブロックに対応するＰＵＳＣＨの送信をスケジューリングする最新のＤＣＩフォーマット（latest DCI format）に含まれるＭＣＳのインデック
スに少なくとも基づき与えられてもよい。図４におけるＭＣＳのインデックス２９、３０、および、３１の何れかを示すＭＣＳフィールドを含むＤＣＩフォーマットを含むＰＤＣＣＨによりスケジューリングされるＰＵＳＣＨに対応するトランスポートブロックのサイズは、ＭＣＳのインデックス０から２８の何れかを示すＭＣＳフィールドを含むＤＣＩフォーマットを含むＰＤＣＣＨであって、該トランスポートブロックのための最新のＰＤＣＣＨ（latest PDCCH）に含まれる情報に少なくとも基づいて与えられてもよい。ここで、最新のＰＤＣＣＨに含まれる情報は、ＭＣＳフィールド、周波数領域のリソース割り当てフィールド、および、時間領域のリソース割り当てフィールドの一部、または、全部を少なくとも含んでもよい。
【００８１】
つまり、特別なＭＣＳのインデックスに対応するターゲット符号化率、および／または、周波数利用効率の一部または全部は、同じトランスポートブロックに対応するＰＵＳＣＨの送信をスケジューリングする最新のＤＣＩフォーマット（latest DCI format）に含
まれるＭＣＳのインデックスに少なくとも基づき与えられてもよい。特別なＭＣＳのインデックスに対応するＭＣＳのインデックスを示すＭＣＳフィールドを含むＤＣＩフォーマットを含むＰＤＣＣＨによりスケジューリングされるＰＵＳＣＨに対応するトランスポートブロックのサイズは、特別なＭＣＳのインデックスを示さないＭＣＳフィールドを含むＤＣＩフォーマットを含むＰＤＣＣＨであって、該トランスポートブロックのための最新のＰＤＣＣＨ（latest PDCCH）に含まれる情報に少なくとも基づいて与えられてもよい。
【００８２】
図５は、本実施形態の一態様に係るＭＣＳのインデックスと、ＰＵＳＣＨの変調方式、
ターゲット符号化率、および、周波数利用効率（Spectral efficiency）の対応を示す第
２のＭＣＳテーブルの一例である。ＭＣＳのインデックスのそれぞれは、変調方式、ターゲット符号化率、および／または、周波数利用効率の一部または全部に対応してもよい。例えば、第２のＭＣＳテーブルは、図５に含まれるＭＣＳインデックスと、該ＭＣＳインデックスに対応する変調方式、ターゲット符号化率、および／または、周波数利用効率のセットの一部または全部を少なくとも含んで構成されてもよい。図５におけるＭＣＳのインデックス２８、２９、３０、および、３１は、特別なＭＣＳのインデックスである。
【００８３】
図６は、本実施形態の一態様に係るＭＣＳのインデックスと、ＰＵＳＣＨの変調方式、ターゲット符号化率、および、周波数利用効率（Spectral efficiency）の対応を示す第
３のＭＣＳテーブルの一例である。ＭＣＳのインデックスのそれぞれは、変調方式、ターゲット符号化率、および／または、周波数利用効率の一部または全部に対応してもよい。例えば、図６において、ＭＣＳのインデックス０は、変調方式の変調次数（Modulation order）＝２、ターゲット符号化率＝１２０／１０２４、周波数利用効率＝０．２３４４に対応している。第３のＭＣＳテーブルは、図６に含まれるＭＣＳインデックスと、該ＭＣＳインデックスに対応する変調方式、ターゲット符号化率、および／または、周波数利用効率のセットの一部または全部を少なくとも含んで構成されてもよい。図６におけるＭＣＳのインデックス２９、３０、および、３１は、特別なＭＣＳのインデックスである。
【００８４】
第４のＭＣＳテーブルは、第２のＭＣＳテーブルと同じであってもよい。第４のＭＣＳテーブルは、第２のＭＣＳテーブルと異なってもよい。第４のＭＣＳテーブルは、図５に含まれるＭＣＳインデックスと、該ＭＣＳインデックスに対応する変調方式、ターゲット符号化率、および／または、周波数利用効率のセットの一部または全部を少なくとも含んで構成されてもよい。
【００８５】
第１のＣＳＩリクエストフィールドは、ＣＳＩの報告を指示するために少なくとも用いられる。第１のＣＳＩリクエストフィールドのサイズは、所定の値であってもよい。第１のＣＳＩリクエストフィールドのサイズは、０であってもよいし、１であってもよいし、２であってもよいし、３であってもよい。
【００８６】
第２の上りリンクＤＣＩフォーマットは、２Ａから２Ｇの一部または全部を少なくとも含んで構成される。
２Ａ）ＤＣＩフォーマット特定フィールド
２Ｂ）周波数領域のリソース割り当てフィールド
２Ｃ）時間領域のリソース割り当てフィールド
２Ｄ）周波数ホッピングフラグフィールド
２Ｅ）ＭＣＳフィールド
２Ｆ）第２のＣＳＩリクエストフィールド（Second CSI request field）
２Ｇ）ＤＭＲＳ系列初期化フィールド（DMRS sequence initialization field）
【００８７】
第２のＣＳＩリクエストフィールドは、ＣＳＩの報告を指示するために少なくとも用いられる。第２のＣＳＩリクエストフィールドのサイズは、上位層のパラメータＲｅｐｏｒｔＴｒｉｇｇｅｒＳｉｚｅに少なくとも基づき与えられてもよい。
【００８８】
ＤＭＲＳ系列初期化フィールドにより、ＰＵＳＣＨ用ＤＭＲＳに関連する識別子ｎＳＣＩＤが与えられてもよい。ＤＭＲＳ系列初期化フィールドのサイズは、該ＤＭＲＳ初期化フィールドを含むＤＣＩフォーマットによりスケジューリングされるＰＵＳＣＨに対して変形プレコーディングが有効である場合に０ビットであってもよい。ＤＭＲＳ系列初期化フィールドのサイズは、該ＤＭＲＳ初期化フィールドを含むＤＣＩフォーマットによりスケジューリングされるＰＵＳＣＨに対して変形プレコーディングが無効である場合に１ビ
ットであってもよい。
【００８９】
本実施形態の種々の態様において、特別な記載のない限り、リソースブロックの数は周波数領域におけるリソースブロックの数を示す。
【００９０】
下りリンクグラントは、１つのサービングセル内の１つのＰＤＳＣＨのスケジューリングのために少なくとも用いられる。
【００９１】
上りリンクグラントは、１つのサービングセル内の１つのＰＵＳＣＨのスケジューリングのために少なくとも用いられる。
【００９２】
１つの物理チャネルは、１つのサービングセルにマップされてもよい。１つの物理チャネルは、１つのサービングセルに含まれる１つのキャリアに設定される１つのキャリアバンドパートにマップされてもよい。
【００９３】
端末装置１は、１または複数の制御リソースセット（CORESET:COntrol REsource SET）が設定される。端末装置１は、１または複数の制御リソースセットにおいてＰＤＣＣＨを監視する（monitor）。
【００９４】
制御リソースセットは、１つまたは複数のＰＤＣＣＨがマップされうる時間周波数領域を示してもよい。制御リソースセットは、端末装置１がＰＤＣＣＨを監視する領域であってもよい。制御リソースセットは、連続的なリソース（Localized resource）により構成されてもよい。制御リソースセットは、非連続的なリソース（distributed resource）により構成されてもよい。
【００９５】
周波数領域において、制御リソースセットのマッピングの単位はリソースブロックであってもよい。例えば、周波数領域において、制御リソースセットのマッピングの単位は６リソースブロックであってもよい。時間領域において、制御リソースセットのマッピングの単位はＯＦＤＭシンボルであってもよい。例えば、時間領域において、制御リソースセットのマッピングの単位は１ＯＦＤＭシンボルであってもよい。
【００９６】
制御リソースセットの周波数領域は、上位層の信号、および／または、下りリンク制御情報に少なくとも基づき与えられてもよい。
【００９７】
制御リソースセットの時間領域は、上位層の信号、および／または、下りリンク制御情報に少なくとも基づき与えられてもよい。
【００９８】
ある制御リソースセットは、共通制御リソースセット（Common control resource set
）であってもよい。共通制御リソースセットは、複数の端末装置１に対して共通に設定される制御リソースセットであってもよい。共通制御リソースセットは、ＭＩＢ、第１のシステム情報、第２のシステム情報、共通ＲＲＣシグナリング、および、セルＩＤの一部または全部に少なくとも基づき与えられてもよい。例えば、第１のシステム情報のスケジューリングのために用いられるＰＤＣＣＨをモニタすることが設定される制御リソースセットの時間リソース、および／または、周波数リソースは、ＭＩＢに少なくとも基づき与えられてもよい。
【００９９】
ある制御リソースセットは、専用制御リソースセット（Dedicated control resource set）であってもよい。専用制御リソースセットは、端末装置１のために専用に用いられるように設定される制御リソースセットであってもよい。専用制御リソースセットは、専用ＲＲＣシグナリング、および、Ｃ−ＲＮＴＩの値の一部または全部に少なくとも基づき与
えられてもよい。
【０１００】
端末装置１によって監視されるＰＤＣＣＨの候補のセットは、探索領域の観点から定義されてもよい。つまり、端末装置１によって監視されるＰＤＣＣＨ候補のセットは、探索領域によって与えられてもよい。
【０１０１】
探索領域は、１または複数の集約レベル（Aggregation level）のＰＤＣＣＨ候補を１
または複数含んで構成されてもよい。ＰＤＣＣＨ候補の集約レベルは、該ＰＤＣＣＨを構成するＣＣＥの個数を示してもよい。
【０１０２】
端末装置１は、ＤＲＸ（Discontinulous reception）が設定されないスロットにおいて少なくとも１または複数の探索領域を監視してもよい。ＤＲＸは、上位層のパラメータに少なくとも基づき与えられてもよい。端末装置１は、ＤＲＸが設定されないスロットにおいて少なくとも１または複数の探索領域セット（Search space set）を監視してもよい。
【０１０３】
探索領域セットは、１または複数の探索領域を少なくとも含んで構成されてもよい。探索領域セットは、タイプ０ＰＤＣＣＨ共通探索領域（common search space）、タイプ１
ＰＤＣＣＨ共通探索領域、および／または、ＵＥ固有探索領域の一部または全部を少なくとも含んでもよい。タイプ０ＰＤＣＣＨ共通探索領域は、第１の上りリンクＤＣＩフォーマットの監視のために少なくとも設定されてもよい。タイプ１ＰＤＣＣＨ共通探索領域は、第１の上りリンクＤＣＩフォーマットの監視のために少なくとも設定されてもよい。タイプ０ＰＤＣＣＨ共通探索領域は、第２の上りリンクＤＣＩフォーマットの監視のために設定されなくてもよい。タイプ１ＰＤＣＣＨ共通探索領域は、第２の上りリンクＤＣＩフォーマットの監視のために設定されなくてもよい。ＵＥ固有探索領域は、第１の上りリンクＤＣＩフォーマット、および／または、第２の上りリンクＤＣＩフォーマットの一部または全部の監視のために少なくとも設定されてもよい。
【０１０４】
探索領域セットのそれぞれは、１つの制御リソースセットに関連してもよい。探索領域セットのそれぞれは、１つの制御リソースセットに含まれてもよい。探索領域セットのそれぞれに対して、該探索領域セットに関連する制御リソースセットのインデックスが与えられてもよい。
【０１０５】
タイプ０ＰＤＣＣＨ共通探索領域は、ＳＩ−ＲＮＴＩ（System Information-Radio Network Temporary Identifier）によってスクランブルされたＣＲＣ（Cyclic Redundancy Check）系列を伴うＤＣＩフォーマットのために少なくとも用いられてもよい。タイプ０ＰＤＣＣＨ共通探索領域に少なくとも関連する制御リソースセットの設定は、上位層パラメータＲＭＳＩ−ＰＤＣＣＨ−Ｃｏｎｆｉｇに少なくとも基づき与えられてもよい。上位層パラメータＲＭＳＩ−ＰＤＣＣＨ−Ｃｏｎｆｉｇは、ＭＩＢに含まれてもよい。上位層パラメータＲＭＳＩ−ＰＤＣＣＨ−Ｃｏｎｆｉｇは、タイプ０ＰＤＣＣＨ共通探索領域に少なくとも関連する制御リソースセットに含まれるリソースブロックの数、該制御リソースセットに含まれるＯＦＤＭシンボルの数の一方または両方を少なくとも示してもよい。上位層パラメータＲＭＳＩ−ＰＤＣＣＨ−ＣｏｎｆｉｇはＭＩＢに含まれる情報フィールドにより示されてもよい。
【０１０６】
タイプ１ＰＤＣＣＨ共通探索領域は、ＲＡ−ＲＮＴＩ（Random Access-Radio Network Temporary Identifier）によってスクランブルされたＣＲＣ系列、ＴＣ−ＲＮＴＩ（Temporary Common-Radio Network Temporary Identifier）によってスクランブルされたＣＲ
Ｃ系列、および／または、Ｃ−ＲＮＴＩ（Common-Radio Network Temporary Identifier
）によってスクランブルされたＣＲＣ系列を伴うＤＣＩフォーマットのために少なくとも用いられてもよい。ＲＡ−ＲＮＴＩは、端末装置１によって送信されるランダムアクセス
プリアンブルの時間／周波数リソースに少なくとも基づき与えられてもよい。ＴＣ−ＲＮＴＩは、ＲＡ−ＲＮＴＩによってスクランブルされたＣＲＣ系列を伴うＤＣＩフォーマットによりスケジューリングされるＰＤＳＣＨ（メッセージ２、または、ランダムアクセスレスポンスグラントとも呼称される）により与えられてもよい。Ｃ−ＲＮＴＩは、ＴＣ−ＲＮＴＩによってスクランブルされたＣＲＣ系列を伴うＤＣＩフォーマットによりスケジューリングされるＰＤＳＣＨ（メッセージ４、または、コンテンションレゾリューションとも呼称される）に少なくとも基づき与えられてもよい。
【０１０７】
ＵＥ固有探索領域は、Ｃ−ＲＮＴＩによってスクランブルされたＣＲＣ系列を伴うＤＣＩフォーマットのために少なくとも用いられてもよい。
【０１０８】
共通制御リソースセットは、ＣＳＳおよびＵＳＳの一方または両方を少なくとも含んでもよい。専用制御リソースセットは、ＣＳＳおよびＵＳＳの一方または両方を少なくとも含んでもよい。
【０１０９】
探索領域の物理リソースは制御チャネルの構成単位（CCE:Control Channel Element）
により構成される。ＣＣＥは所定の数のリソース要素グループ（REG:Resource Element Group）により構成される。例えば、ＣＣＥは６個のＲＥＧにより構成されてもよい。ＲＥＧは１つのＰＲＢ（Physical Resource Block）の１ＯＦＤＭシンボルにより構成されて
もよい。つまり、ＲＥＧは１２個のリソースエレメント（RE:Resource Element）を含ん
で構成されてもよい。ＰＲＢは、単にＲＢ（Ｒｅｓｏｕｒｃｅ  Ｂｌｏｃｋ：リソースブロック）とも呼称される。
【０１１０】
ＰＤＳＣＨは、トランスポートブロックを送信するために少なくとも用いられる。ＰＤＳＣＨは、ランダムアクセスメッセージ２（ランダムアクセスレスポンス）を送信するために少なくとも用いられてもよい。ＰＤＳＣＨは、初期アクセスのために用いられるパラメータを含むシステム情報を送信するために少なくとも用いられてもよい。
【０１１１】
図１において、下りリンクの無線通信では、以下の下りリンク物理シグナルが用いられる。下りリンク物理シグナルは、上位層から出力された情報を送信するために使用されなくてもよいが、物理層によって使用される。
・同期信号（SS:Synchronization signal）
・ＤＬ  ＤＭＲＳ（DownLink DeModulation Reference Signal）
・ＣＳＩ−ＲＳ（Channel State Information-Reference Signal）
・ＤＬ  ＰＴＲＳ（DownLink Phase Tracking Reference Signal）
・ＴＲＳ（Tracking Reference Signal）
【０１１２】
同期信号は、端末装置１が下りリンクの周波数領域、および／または、時間領域の同期をとるために用いられる。同期信号は、ＰＳＳ（Primary Synchronization Signal）、および、ＳＳＳ（Secondary Synchronization Signal）を含む。
【０１１３】
ＳＳブロック（ＳＳ／ＰＢＣＨブロック）は、ＰＳＳ、ＳＳＳ、および、ＰＢＣＨの一部または全部を少なくとも含んで構成される。ＳＳブロックに含まれるＰＳＳ、ＳＳＳ、および、ＰＢＣＨの一部または全部のそれぞれのアンテナポートは同一であってもよい。ＳＳブロックに含まれるＰＳＳ、ＳＳＳ、およびＰＢＣＨの一部または全部は、連続するＯＦＤＭシンボルにマップされてもよい。ＳＳブロックに含まれるＰＳＳ、ＳＳＳ、および、ＰＢＣＨの一部または全部のそれぞれのＣＰ設定は同一であってもよい。ＳＳブロックに含まれるＰＳＳ、ＳＳＳ、および、ＰＢＣＨの一部または全部のそれぞれのサブキャリア間隔の設定μは同一であってもよい。
【０１１４】
ＤＬ  ＤＭＲＳは、ＰＢＣＨ、ＰＤＣＣＨ、および／または、ＰＤＳＣＨの送信に関連する。ＤＬ  ＤＭＲＳは、ＰＢＣＨ、ＰＤＣＣＨ、および／または、ＰＤＳＣＨに多重される。端末装置１は、ＰＢＣＨ、ＰＤＣＣＨ、または、ＰＤＳＣＨの伝搬路補正を行なうために該ＰＢＣＨ、該ＰＤＣＣＨ、または、該ＰＤＳＣＨと対応するＤＬ  ＤＭＲＳを使用してよい。以下、ＰＢＣＨと、該ＰＢＣＨと関連するＤＬ  ＤＭＲＳが共に送信されることは、ＰＢＣＨが送信されると呼称される。また、ＰＤＣＣＨと、該ＰＤＣＣＨと関連するＤＬ  ＤＭＲＳが共に送信されることは、単にＰＤＣＣＨが送信されると呼称される。また、ＰＤＳＣＨと、該ＰＤＳＣＨと関連するＤＬ  ＤＭＲＳが共に送信されることは、単にＰＤＳＣＨが送信されると呼称される。ＰＢＣＨと関連するＤＬ  ＤＭＲＳは、ＰＢＣＨ用ＤＬ  ＤＭＲＳとも呼称される。ＰＤＳＣＨと関連するＤＬ  ＤＭＲＳは、ＰＤＳＣＨ用ＤＬ  ＤＭＲＳとも呼称される。ＰＤＣＣＨと関連するＤＬ  ＤＭＲＳは、ＰＤＣＣＨと関連するＤＬ  ＤＭＲＳとも呼称される。
【０１１５】
ＤＬ  ＤＭＲＳは、端末装置１に個別に設定される参照信号であってもよい。ＤＬ  ＤＭＲＳの系列は、端末装置１に個別に設定されるパラメータに少なくとも基づいて与えられてもよい。ＤＬ  ＤＭＲＳの系列は、ＵＥ固有の値（例えば、Ｃ−ＲＮＴＩ等）に少なくとも基づき与えられてもよい。ＤＬ  ＤＭＲＳは、ＰＤＣＣＨ、および／または、ＰＤＳＣＨのために個別に送信されてもよい。
【０１１６】
ＣＳＩ−ＲＳは、チャネル状態情報を算出するために少なくとも用いられる信号であってもよい。端末装置によって想定されるＣＳＩ−ＲＳのパターンは、少なくとも上位層のパラメータにより与えられてもよい。
【０１１７】
ＰＴＲＳは、位相雑音の補償のために少なくとも用いられる信号であってもよい。端末装置によって想定されるＰＴＲＳのパターンは、上位層のパラメータ、および／または、ＤＣＩに少なくとも基づき与えられてもよい。
【０１１８】
ＤＬ  ＰＴＲＳは、１または複数のＤＬ  ＤＭＲＳに用いられるアンテナポートを少なくとも含むＤＬ  ＤＭＲＳグループに関連してもよい。ＤＬ  ＰＴＲＳとＤＬ  ＤＭＲＳグループが関連することは、ＤＬ  ＰＴＲＳのアンテナポートとＤＬ  ＤＭＲＳグループに含まれるアンテナポートの一部または全部が少なくともＱＣＬであることであってもよい。ＤＬ  ＤＭＲＳグループは、ＤＬ  ＤＭＲＳグループに含まれるＤＬ  ＤＭＲＳにおいて最も小さいインデックスのアンテナポートに少なくとも基づき識別されてもよい。
【０１１９】
ＴＲＳは、時間、および／または、周波数の同期のために少なくとも用いられる信号であってもよい。端末装置によって想定されるＴＲＳのパターンは、上位層のパラメータ、および／または、ＤＣＩに少なくとも基づき与えられてもよい。
【０１２０】
下りリンク物理チャネルおよび下りリンク物理シグナルは、下りリンク信号とも呼称される。上りリンク物理チャネルおよび上りリンク物理シグナルは、上りリンク信号とも呼称される。下りリンク信号および上りリンク信号はまとめて物理信号とも呼称される。下りリンク信号および上りリンク信号はまとめて信号とも呼称される。下りリンク物理チャネルおよび上りリンク物理チャネルを総称して、物理チャネルと称する。下りリンク物理シグナルおよび上りリンク物理シグナルを総称して、物理シグナルと称する。
【０１２１】
ＢＣＨ（Broadcast CHannel）、ＵＬ−ＳＣＨ（Uplink-Shared CHannel）およびＤＬ−ＳＣＨ（Downlink-Shared CHannel）は、トランスポートチャネルである。媒体アクセス
制御（MAC:Medium Access Control）層で用いられるチャネルはトランスポートチャネル
と呼称される。ＭＡＣ層で用いられるトランスポートチャネルの単位は、トランスポートブロック（TB）またはＭＡＣ  ＰＤＵとも呼称される。ＭＡＣ層においてトランスポート
ブロック毎にＨＡＲＱ（Hybrid Automatic Repeat reQuest）の制御が行なわれる。トラ
ンスポートブロックは、ＭＡＣ層が物理層に渡す（deliver）データの単位である。物理
層において、トランスポートブロックはコードワードにマップされ、コードワード毎に変調処理が行なわれる。
【０１２２】
基地局装置３と端末装置１は、上位層（higher layer）において上位層の信号をやり取り（送受信）する。例えば、基地局装置３と端末装置１は、無線リソース制御（RRC:Radio Resource Control）層において、ＲＲＣシグナリング（RRC message:Radio Resource Control message、RRC information:Radio Resource Control information）を送受信してもよい。また、基地局装置３と端末装置１は、ＭＡＣ層において、ＭＡＣ  ＣＥ（Control Element）を送受信してもよい。ここで、ＲＲＣシグナリング、および／または、ＭＡ
Ｃ  ＣＥを、上位層の信号（higher layer signaling）とも称する。
【０１２３】
ＰＵＳＣＨおよびＰＤＳＣＨは、ＲＲＣシグナリング、および／または、ＭＡＣ  ＣＥを送信するために少なくとも用いられてよい。ここで、基地局装置３よりＰＤＳＣＨで送信されるＲＲＣシグナリングは、サービングセル内における複数の端末装置１に対して共通のシグナリングであってもよい。サービングセル内における複数の端末装置１に対して共通のシグナリングは、共通ＲＲＣシグナリングとも呼称される。基地局装置３からＰＤＳＣＨで送信されるＲＲＣシグナリングは、ある端末装置１に対して専用のシグナリング（ｄｅｄｉｃａｔｅｄ  ｓｉｇｎａｌｉｎｇまたはＵＥ  ｓｐｅｃｉｆｉｃ  ｓｉｇｎａｌｉｎｇとも呼称される）であってもよい。端末装置１に対して専用のシグナリングは、専用ＲＲＣシグナリングとも呼称される。サービングセルにおいて固有な上位層のパラメータは、サービングセル内における複数の端末装置１に対して共通のシグナリング、または、ある端末装置１に対して専用のシグナリングを用いて送信されてもよい。ＵＥ固有な上位層のパラメータは、ある端末装置１に対して専用のシグナリングを用いて送信されてもよい。
【０１２４】
ＢＣＣＨ（Broadcast Control CHannel）、ＣＣＣＨ（Common Control CHannel）、お
よび、ＤＣＣＨ（Dedicated Control CHannel）は、ロジカルチャネルである。例えば、
ＢＣＣＨは、ＭＩＢを送信するために用いられる上位層のチャネルである。また、ＣＣＣＨ（Common Control CHannel）は、複数の端末装置１において共通な情報を送信するために用いられる上位層のチャネルである。ここで、ＣＣＣＨは、例えば、ＲＲＣ接続されていない端末装置１のために用いられてもよい。また、ＤＣＣＨ（Dedicated Control CHannel）は、端末装置１に専用の制御情報（dedicated control information）を送信するために少なくとも用いられる上位層のチャネルである。ここで、ＤＣＣＨは、例えば、ＲＲＣ接続されている端末装置１のために用いられてもよい。
【０１２５】
ロジカルチャネルにおけるＢＣＣＨは、トランスポートチャネルにおいてＢＣＨ、ＤＬ−ＳＣＨ、または、ＵＬ−ＳＣＨにマップされてもよい。ロジカルチャネルにおけるＣＣＣＨは、トランスポートチャネルにおいてＤＬ−ＳＣＨまたはＵＬ−ＳＣＨにマップされてもよい。ロジカルチャネルにおけるＤＣＣＨは、トランスポートチャネルにおいてＤＬ−ＳＣＨまたはＵＬ−ＳＣＨにマップされてもよい。
【０１２６】
トランスポートチャネルにおけるＵＬ−ＳＣＨは、物理チャネルにおいてＰＵＳＣＨにマップされてもよい。トランスポートチャネルにおけるＤＬ−ＳＣＨは、物理チャネルにおいてＰＤＳＣＨにマップされてもよい。トランスポートチャネルにおけるＢＣＨは、物理チャネルにおいてＰＢＣＨにマップされてもよい。  
【０１２７】
以下、本実施形態の一態様に係る端末装置１の構成例を説明する。
【０１２８】
図７は、本実施形態の一態様に係る端末装置１の構成を示す概略ブロック図である。図示するように、端末装置１は、無線送受信部１０、および、上位層処理部１４を含んで構成される。無線送受信部１０は、アンテナ部１１、ＲＦ（Radio Frequency）部１２、お
よび、ベースバンド部１３の一部または全部を少なくとも含んで構成される。上位層処理部１４は、媒体アクセス制御層処理部１５、および、無線リソース制御層処理部１６の一部または全部を少なくとも含んで構成される。無線送受信部１０を送信部、受信部、または、物理層処理部とも称する。
【０１２９】
上位層処理部１４は、ユーザーの操作等により生成された上りリンクデータ（トランスポートブロック）を、無線送受信部１０に出力する。上位層処理部１４は、ＭＡＣ層、パケットデータ統合プロトコル（PDCP:Packet Data Convergence Protocol）層、無線リン
ク制御（RLC:Radio Link Control）層、ＲＲＣ層の処理を行なう。
【０１３０】
上位層処理部１４が備える媒体アクセス制御層処理部１５は、ＭＡＣ層の処理を行う。
【０１３１】
上位層処理部１４が備える無線リソース制御層処理部１６は、ＲＲＣ層の処理を行う。無線リソース制御層処理部１６は、自装置の各種設定情報／パラメータの管理をする。無線リソース制御層処理部１６は、基地局装置３から受信した上位層の信号に基づいて各種設定情報／パラメータをセットする。すなわち、無線リソース制御層処理部１６は、基地局装置３から受信した各種設定情報／パラメータを示す情報に基づいて各種設定情報／パラメータをセットする。該パラメータは上位層のパラメータであってもよい。
【０１３２】
無線送受信部１０は、変調、復調、符号化、復号化などの物理層の処理を行う。無線送受信部１０は、受信した物理信号を、分離、復調、復号し、復号した情報を上位層処理部１４に出力する。無線送受信部１０は、データを変調、符号化、ベースバンド信号生成（時間連続信号への変換）することによって物理信号を生成し、基地局装置３に送信する。
【０１３３】
ＲＦ部１２は、アンテナ部１１を介して受信した信号を、直交復調によりベースバンド信号に変換し（ダウンコンバート：ｄｏｗｎ  ｃｏｖｅｒｔ）、不要な周波数成分を除去する。ＲＦ部１２は、処理をしたアナログ信号をベースバンド部に出力する。
【０１３４】
ベースバンド部１３は、ＲＦ部１２から入力されたアナログ信号をディジタル信号に変換する。ベースバンド部１３は、変換したディジタル信号からＣＰ（Cyclic Prefix）に
相当する部分を除去し、ＣＰを除去した信号に対して高速フーリエ変換（FFT:Fast Fourier Transform）を行い、周波数領域の信号を抽出する。
【０１３５】
ベースバンド部１３は、データを逆高速フーリエ変換（IFFT:Inverse Fast Fourier Transform）して、ＯＦＤＭシンボルを生成し、生成されたＯＦＤＭシンボルにＣＰを付加
し、ベースバンドのディジタル信号を生成し、ベースバンドのディジタル信号をアナログ信号に変換する。ベースバンド部１３は、変換したアナログ信号をＲＦ部１２に出力する。
【０１３６】
ＲＦ部１２は、ローパスフィルタを用いてベースバンド部１３から入力されたアナログ信号から余分な周波数成分を除去し、アナログ信号を搬送波周波数にアップコンバート（up convert）し、アンテナ部１１を介して送信する。また、ＲＦ部１２は、電力を増幅する。また、ＲＦ部１２は送信電力を制御する機能を備えてもよい。ＲＦ部１２を送信電力制御部とも称する。
【０１３７】
以下、本実施形態の一態様に係る基地局装置３の構成例を説明する。
【０１３８】
図８は、本実施形態の一態様に係る基地局装置３の構成を示す概略ブロック図である。図示するように、基地局装置３は、無線送受信部３０、および、上位層処理部３４を含んで構成される。無線送受信部３０は、アンテナ部３１、ＲＦ部３２、および、ベースバンド部３３を含んで構成される。上位層処理部３４は、媒体アクセス制御層処理部３５、および、無線リソース制御層処理部３６を含んで構成される。無線送受信部３０を送信部、受信部、または、物理層処理部とも称する。
【０１３９】
上位層処理部３４は、ＭＡＣ層、ＰＤＣＰ層、ＲＬＣ層、ＲＲＣ層の処理を行なう。
【０１４０】
上位層処理部３４が備える媒体アクセス制御層処理部３５は、ＭＡＣ層の処理を行う。
【０１４１】
上位層処理部３４が備える無線リソース制御層処理部３６は、ＲＲＣ層の処理を行う。無線リソース制御層処理部３６は、ＰＤＳＣＨに配置される下りリンクデータ（トランスポートブロック）、システム情報、ＲＲＣメッセージ、ＭＡＣ  ＣＥなどを生成し、又は上位ノードから取得し、無線送受信部３０に出力する。また、無線リソース制御層処理部３６は、端末装置１各々の各種設定情報／パラメータの管理をする。無線リソース制御層処理部３６は、上位層の信号を介して端末装置１各々に対して各種設定情報／パラメータをセットしてもよい。すなわち、無線リソース制御層処理部３６は、各種設定情報／パラメータを示す情報を送信／報知する。
【０１４２】
無線送受信部３０の機能は、無線送受信部１０と同様であるため説明を省略する。
【０１４３】
端末装置１が備える符号１０から符号１６が付された部のそれぞれは、回路として構成されてもよい。基地局装置３が備える符号３０から符号３６が付された部のそれぞれは、回路として構成されてもよい。
【０１４４】
以下、本実施形態の一態様に係る種々の態様例を説明する。
【０１４５】
Ｃ−ＲＮＴＩによりスクランブルされたＣＲＣを伴う第１の上りリンクＤＣＩフォーマットによりスケジューリングされるＰＵＳＣＨに対して変形プレコーディングが無効であり、かつ、上位層のパラメータＭＣＳ―Ｔａｂｌｅ―ＰＵＳＣＨが第１の値にセットされていない場合、該第１の上りリンクＤＣＩフォーマットに含まれるＭＣＳフィールドの値および第１のＭＣＳテーブルに少なくとも基づき、該ＰＵＳＣＨの変調方式、および／または、該ＰＵＳＣＨのトランスポートブロックのためのターゲット符号化率が与えられてもよい。第１の値は、変形プレコーディングが無効であるＰＵＳＣＨのためのＭＣＳテーブルに２５６ＱＡＭに対応するＭＣＳのインデックスが含まれることを示してもよい。第１のＭＣＳテーブルは、２５６ＱＡＭに対応するＭＣＳのインデックスを含まなくてもよい。
【０１４６】
Ｃ−ＲＮＴＩによりスクランブルされたＣＲＣを伴う第１の上りリンクＤＣＩフォーマットによりスケジューリングされるＰＵＳＣＨに対して変形プレコーディングが無効であり、かつ、上位層のパラメータＭＣＳ―Ｔａｂｌｅ―ＰＵＳＣＨが第１の値にセットされている場合、該ＰＵＳＣＨのためのＭＣＳのインデックスおよび第２のＭＣＳテーブルに少なくとも基づき、該ＰＵＳＣＨの変調方式、および／または、該ＰＵＳＣＨのトランスポートブロックのためのターゲット符号化率が与えられてもよい。該ＭＣＳのインデックスは、該第１の上りリンクＤＣＩフォーマットに含まれるＭＣＳフィールドに基づき与えられてもよい。第２のＭＣＳテーブルは、２５６ＱＡＭに対応する少なくとも１つのＭＣＳのインデックスを含んでもよい。
【０１４７】
Ｃ−ＲＮＴＩによりスクランブルされたＣＲＣを伴う第１の上りリンクＤＣＩフォーマ
ットによりスケジューリングされるＰＵＳＣＨに対して変形プレコーディングが有効であり、かつ、上位層のパラメータＭＣＳ―Ｔａｂｌｅ―ＰＵＳＣＨ―ｔｐが第２の値にセットされていない場合、該第１の上りリンクＤＣＩフォーマットに含まれるＭＣＳフィールドの値および第３のＭＣＳテーブルに少なくとも基づき、該ＰＵＳＣＨの変調方式、および／または、該ＰＵＳＣＨのトランスポートブロックのためのターゲット符号化率が与えられてもよい。第２の値は、変形プレコーディングが有効であるＰＵＳＣＨのためのＭＣＳテーブルに２５６ＱＡＭに対応するＭＣＳのインデックスが含まれることを示してもよい。第３のＭＣＳテーブルは、２５６ＱＡＭに対応するＭＣＳのインデックスを含まなくてもよい。
【０１４８】
Ｃ−ＲＮＴＩによりスクランブルされたＣＲＣを伴う第１の上りリンクＤＣＩフォーマットによりスケジューリングされるＰＵＳＣＨに対して変形プレコーディングが有効であり、かつ、上位層のパラメータＭＣＳ―Ｔａｂｌｅ―ＰＵＳＣＨ―ｔｐが第２の値にセットされている場合、該第１の上りリンクＤＣＩフォーマットに含まれるＭＣＳフィールドの値および第４のＭＣＳテーブルに少なくとも基づき、該ＰＵＳＣＨの変調方式、および／または、該ＰＵＳＣＨのトランスポートブロックのためのターゲット符号化率が与えられてもよい。第４のＭＣＳテーブルは、２５６ＱＡＭに対応する少なくとも１つのＭＣＳのインデックスを含んでもよい。
【０１４９】
Ｃ−ＲＮＴＩによりスクランブルされたＣＲＣを伴う第２の上りリンクＤＣＩフォーマットによりスケジューリングされるＰＵＳＣＨに対して変形プレコーディングが無効であり、かつ、上位層のパラメータＭＣＳ―Ｔａｂｌｅ―ＰＵＳＣＨが第１の値にセットされていない場合、該第２の上りリンクＤＣＩフォーマットに含まれるＭＣＳフィールドの値および第１のＭＣＳテーブルに少なくとも基づき、該ＰＵＳＣＨの変調方式、および／または、該ＰＵＳＣＨのトランスポートブロックのためのターゲット符号化率が与えられてもよい。
【０１５０】
Ｃ−ＲＮＴＩによりスクランブルされたＣＲＣを伴う第２の上りリンクＤＣＩフォーマットによりスケジューリングされるＰＵＳＣＨに対して変形プレコーディングが無効であり、かつ、上位層のパラメータＭＣＳ―Ｔａｂｌｅ―ＰＵＳＣＨが第１の値にセットされている場合、該第２の上りリンクＤＣＩフォーマットに含まれるＭＣＳフィールドの値および第２のＭＣＳテーブルに少なくとも基づき、該ＰＵＳＣＨの変調方式、および／または、該ＰＵＳＣＨのトランスポートブロックのためのターゲット符号化率が与えられてもよい。
【０１５１】
Ｃ−ＲＮＴＩによりスクランブルされたＣＲＣを伴う第２の上りリンクＤＣＩフォーマットによりスケジューリングされるＰＵＳＣＨに対して変形プレコーディングが有効であり、かつ、上位層のパラメータＭＣＳ―Ｔａｂｌｅ―ＰＵＳＣＨ―ｔｐが第２の値にセットされていない場合、該第２の上りリンクＤＣＩフォーマットに含まれるＭＣＳフィールドの値および第３のＭＣＳテーブルに少なくとも基づき、該ＰＵＳＣＨの変調方式、および／または、該ＰＵＳＣＨのトランスポートブロックのためのターゲット符号化率が与えられてもよい。
【０１５２】
Ｃ−ＲＮＴＩによりスクランブルされたＣＲＣを伴う第２の上りリンクＤＣＩフォーマットによりスケジューリングされるＰＵＳＣＨに対して変形プレコーディングが有効であり、かつ、上位層のパラメータＭＣＳ―Ｔａｂｌｅ―ＰＵＳＣＨ―ｔｐが第２の値にセットされている場合、該第２の上りリンクＤＣＩフォーマットに含まれるＭＣＳフィールドの値および第４のＭＣＳテーブルに少なくとも基づき、該ＰＵＳＣＨの変調方式、および／または、該ＰＵＳＣＨのトランスポートブロックのためのターゲット符号化率が与えられてもよい。
【０１５３】
ＴＣ−ＲＮＴＩによりスクランブルされたＣＲＣを伴う第１の上りリンクＤＣＩフォーマットによりスケジューリングされるＰＵＳＣＨに対して変形プレコーディングが無効である場合、該第１の上りリンクＤＣＩフォーマットに含まれるＭＣＳフィールドの値および第１のＭＣＳテーブルに少なくとも基づき、該ＰＵＳＣＨの変調方式、および／または、該ＰＵＳＣＨのトランスポートブロックのためのターゲット符号化率が与えられてもよい。
【０１５４】
ＴＣ−ＲＮＴＩによりスクランブルされたＣＲＣを伴う第１の上りリンクＤＣＩフォーマットによりスケジューリングされるＰＵＳＣＨに対して変形プレコーディングが有効である場合、該第１の上りリンクＤＣＩフォーマットに含まれるＭＣＳフィールドの値および第３のＭＣＳテーブルに少なくとも基づき、該ＰＵＳＣＨの変調方式、および／または、該ＰＵＳＣＨのトランスポートブロックのためのターゲット符号化率が与えられてもよい。
【０１５５】
ランダムアクセスレスポンスグラントによりスケジューリングされるＰＵＳＣＨに対して変形プレコーディングが無効である場合、該ランダムアクセスレスポンスグラントに含まれるＭＣＳフィールドの値および第１のＭＣＳテーブルに少なくとも基づき、該ＰＵＳＣＨの変調方式、および／または、該ＰＵＳＣＨのトランスポートブロックのためのターゲット符号化率が与えられてもよい。
【０１５６】
ランダムアクセスレスポンスグラントによりスケジューリングされるＰＵＳＣＨに対して変形プレコーディングが有効である場合、該ランダムアクセスレスポンスグラントに含まれるＭＣＳフィールドの値および第３のＭＣＳテーブルに少なくとも基づき、該ＰＵＳＣＨの変調方式、および／または、該ＰＵＳＣＨのトランスポートブロックのためのターゲット符号化率が与えられてもよい。該ＭＣＳのインデックスは、該第１の上りリンクＤＣＩフォーマットに含まれるＭＣＳフィールドに基づき与えられてもよい。
【０１５７】
ＴＣ−ＲＮＴＩによりスクランブルされたＣＲＣを伴う第１の上りリンクＤＣＩフォーマットによりスケジューリングされるＰＵＳＣＨに対して変形プレコーディングが無効である場合、上位層のパラメータＭＣＳ―Ｔａｂｌｅ―ＰＵＳＣＨが第１の値にセットされていることを想定して該ＰＵＳＣＨの変調方式、および／または、該ＰＵＳＣＨのトランスポートブロックのためのターゲット符号化率が与えられてもよい。ＴＣ−ＲＮＴＩによりスクランブルされたＣＲＣを伴う第１の上りリンクＤＣＩフォーマットによりスケジューリングされるＰＵＳＣＨに対して変形プレコーディングが無効である場合、上位層のパラメータＭＣＳ―Ｔａｂｌｅ―ＰＵＳＣＨが第１の値にセットされているか否かにかかわらず、該ＰＵＳＣＨの変調方式、および／または、該ＰＵＳＣＨのトランスポートブロックのためのターゲット符号化率が与えられてもよい。
【０１５８】
ＴＣ−ＲＮＴＩによりスクランブルされたＣＲＣを伴う第１の上りリンクＤＣＩフォーマットによりスケジューリングされるＰＵＳＣＨに対して変形プレコーディングが有効である場合、上位層のパラメータＭＣＳ―Ｔａｂｌｅ―ＰＵＳＣＨ―ｔｐが第２の値にセットされていることを想定して該ＰＵＳＣＨの変調方式、および／または、該ＰＵＳＣＨのトランスポートブロックのためのターゲット符号化率が与えられてもよい。ＴＣ−ＲＮＴＩによりスクランブルされたＣＲＣを伴う第１の上りリンクＤＣＩフォーマットによりスケジューリングされるＰＵＳＣＨに対して変形プレコーディングが有効である場合、上位層のパラメータＭＣＳ―Ｔａｂｌｅ―ＰＵＳＣＨ―ｔｐが第２の値にセットされているか否かにかかわらず、該ＰＵＳＣＨの変調方式、および／または、該ＰＵＳＣＨのトランスポートブロックのためのターゲット符号化率が与えられてもよい。
【０１５９】
ランダムアクセスレスポンスグラントによりスケジューリングされるＰＵＳＣＨに対して変形プレコーディングが無効である場合、上位層のパラメータＭＣＳ―Ｔａｂｌｅ―ＰＵＳＣＨが第１の値にセットされていることに基づき該ＰＵＳＣＨの変調方式、および／または、該ＰＵＳＣＨのトランスポートブロックのためのターゲット符号化率が与えられてもよい。ランダムアクセスレスポンスグラントによりスケジューリングされるＰＵＳＣＨに対して変形プレコーディングが無効である場合、上位層のパラメータＭＣＳ―Ｔａｂｌｅ―ＰＵＳＣＨが第１の値にセットされているか否かにかかわらず、該ＰＵＳＣＨの変調方式、および／または、該ＰＵＳＣＨのトランスポートブロックのためのターゲット符号化率が与えられてもよい。
【０１６０】
ランダムアクセスレスポンスグラントによりスケジューリングされるＰＵＳＣＨに対して変形プレコーディングが有効である場合、上位層のパラメータＭＣＳ―Ｔａｂｌｅ―ＰＵＳＣＨ―ｔｐが第２の値にセットされていることに基づき該ＰＵＳＣＨの変調方式、および／または、該ＰＵＳＣＨのトランスポートブロックのためのターゲット符号化率が与えられてもよい。ランダムアクセスレスポンスグラントによりスケジューリングされるＰＵＳＣＨに対して変形プレコーディングが有効である場合、上位層のパラメータＭＣＳ―Ｔａｂｌｅ―ＰＵＳＣＨ―ｔｐが第２の値にセットされているか否かにかかわらず、該ＰＵＳＣＨの変調方式、および／または、該ＰＵＳＣＨのトランスポートブロックのためのターゲット符号化率が与えられてもよい。
【０１６１】
ＰＵＳＣＨに対して変形プレコーディングが有効であることは、パラメータＰＵＳＣＨ―ｔｐが第３の値にセットされることであってもよい。第３の値は、ＰＵＳＣＨに対して変形プレコーディングが有効であることを示してもよい。ＰＵＳＣＨに対して変形プレコーディングが無効であることは、上位層のパラメータＰＵＳＣＨ―ｔｐが第３の値にセットされないことであってもよい。
【０１６２】
Ｃ−ＲＮＴＩによってスクランブルされたＣＲＣをともなう第１の上りリンクＤＣＩフォーマットによりスケジューリングされるＰＵＳＣＨにおいて、該ＰＵＳＣＨに対して変形プレコーディングが適用されるか否かは、パラメータＰＵＳＣＨ―ｔｐが上位層のパラメータｔｒａｎｓｆｏｒｍ―ｐｒｅｃｏｄｉｎｇ―ｓｃｈｅｄｕｌｅｄの値にセットされることに少なくとも基づき与えられてもよい。
【０１６３】
Ｃ−ＲＮＴＩによってスクランブルされたＣＲＣをともなう第２の上りリンクＤＣＩフォーマットによりスケジューリングされるＰＵＳＣＨにおいて、該ＰＵＳＣＨに対して変形プレコーディングが適用されるか否かは、パラメータＰＵＳＣＨ―ｔｐが上位層のパラメータｔｒａｎｓｆｏｒｍ―ｐｒｅｃｏｄｉｎｇ―ｓｃｈｅｄｕｌｅｄの値にセットされることに少なくとも基づき与えられてもよい。
【０１６４】
ＴＣ−ＲＮＴＩによってスクランブルされたＣＲＣをともなう第１の上りリンクＤＣＩフォーマットによりスケジューリングされるＰＵＳＣＨの送信において、該ＰＵＳＣＨに対して変形プレコーディングが適用されるか否かは、パラメータＰＵＳＣＨ―ｔｐが上位層のパラメータｍｓｇ３―ｔｐの値にセットされることに少なくとも基づき与えられてもよい。
【０１６５】
ランダムアクセスレスポンスグラントによりスケジューリングされるＰＵＳＣＨにおいて、該ＰＵＳＣＨに対して変形プレコーディングが適用されるか否かは、パラメータＰＵＳＣＨ―ｔｐが上位層のパラメータｍｓｇ３―ｔｐの値にセットされることに少なくとも基づき与えられてもよい。
【０１６６】
Ｃ−ＲＮＴＩによりスクランブルされたＣＲＣを伴う第１の上りリンクＤＣＩフォーマ
ットによりスケジューリングされるＰＵＳＣＨの送信において、該ＰＵＳＣＨに対して変形プレコーディングが有効であるか否かは、上位層のパラメータｔｒａｎｓｆｏｒｍ―ｐｒｅｃｏｄｉｎｇ―ｓｃｈｅｄｕｌｅｄに少なくとも基づき与えられてもよい。
【０１６７】
Ｃ−ＲＮＴＩによりスクランブルされたＣＲＣを伴う第２の上りリンクＤＣＩフォーマットによりスケジューリングされるＰＵＳＣＨの送信において、該ＰＵＳＣＨに対して変形プレコーディングが有効であるか否かは、上位層のパラメータｔｒａｎｓｆｏｒｍ―ｐｒｅｃｏｄｉｎｇ―ｓｃｈｅｄｕｌｅｄに少なくとも基づき与えられてもよい。
【０１６８】
ＴＣ−ＲＮＴＩによりスクランブルされたＣＲＣを伴う第１の上りリンクＤＣＩフォーマットによりスケジューリングされるＰＵＳＣＨの送信において、該ＰＵＳＣＨに対して変形プレコーディングが有効であるか否かは、上位層のパラメータｍｓｇ３―ｔｐに少なくとも基づき与えられてもよい。
【０１６９】
ランダムアクセスレスポンスグラントによりスケジューリングされるＰＵＳＣＨの送信において、該ＰＵＳＣＨに対して変形プレコーディングが有効であるか否かは、上位層のパラメータｍｓｇ３―ｔｐに少なくとも基づき与えられてもよい。
【０１７０】
本実施形態において、第２の値は第１の値と同じでもよいし、異なってもよい。本実施形態において、第３の値は第１の値と同じでもよいし、異なってもよい。本実施形態において、第３の値は第２の値と同じでもよいし、異なってもよい。
【０１７１】
以下、本実施形態の一態様に係る種々の装置の態様を説明する。
【０１７２】
（１）上記の目的を達成するために、本発明の態様は、以下のような手段を講じた。すなわち、本発明の第１の態様は、端末装置であって、ＤＣＩフォーマットを含むＰＤＣＣＨを受信する受信部と、前記ＤＣＩフォーマットによりスケジューリングされるＰＵＳＣＨを送信する送信部と、を備え、前記ＰＵＳＣＨのトランスポートブロックが所定の変調方式に基づき変調されることにより複素数値変調シンボルが生成され、前記ＰＵＳＣＨに対して変形プレコーディングが有効である場合に前記複素数値変調シンボルに対して変形プレコーディングが適用され、前記ＤＣＩフォーマットがＴＣ−ＲＮＴＩによりスクランブルされたＣＲＣを伴い、かつ、前記ＰＵＳＣＨに対して変形プレコーディングが有効である場合に、前記所定の変調方式は第１のＭＣＳテーブル、および、前記ＤＣＩフォーマットに含まれるＭＣＳフィールドの値に少なくとも基づき与えられ、前記ＤＣＩフォーマットがＣ−ＲＮＴＩによりスクランブルされたＣＲＣを伴う第１の上りリンクＤＣＩフォーマットであり、前記ＰＵＳＣＨに対して変形プレコーディングが有効であり、上位層のパラメータＭＣＳ―Ｔａｂｌｅ―ＰＵＳＣＨ―ｔｐが第１の値にセットされている場合に、前記所定の変調方式は第２のＭＣＳテーブル、および／または、前記ＭＣＳフィールドの値に少なくとも基づき与えられる。
【０１７３】
（２）また、本発明の第２の態様は、端末装置であって、ＤＣＩフォーマットを含むＰＤＣＣＨを受信する受信部と、前記ＤＣＩフォーマットによりスケジューリングされるＰＵＳＣＨを送信する送信部と、を備え、前記ＰＵＳＣＨのトランスポートブロックが所定の変調方式に基づき変調されることにより複素数値変調シンボルが生成され、前記ＰＵＳＣＨに対して変形プレコーディングが有効である場合に前記複素数値変調シンボルに対して変形プレコーディングが適用され、前記ＤＣＩフォーマットがＣ−ＲＮＴＩによりスクランブルされたＣＲＣを伴い、前記ＰＵＳＣＨに対して変形プレコーディングが有効であり、かつ、上位層のパラメータＭＣＳ―Ｔａｂｌｅ―ＰＵＳＣＨ―ｔｐが第１の値にセットされていない場合に、前記所定の変調方式は第１のＭＣＳテーブル、および、前記ＤＣＩフォーマットに含まれるＭＣＳフィールドの値に少なくとも基づき与えられ、前記ＤＣ
ＩフォーマットがＣ−ＲＮＴＩによりスクランブルされたＣＲＣを伴い、前記ＰＵＳＣＨに対して変形プレコーディングが有効であり、前記上位層のパラメータＭＣＳ―Ｔａｂｌｅ―ＰＵＳＣＨ―ｔｐが前記第１の値にセットされている場合に、前記所定の変調方式は第２のＭＣＳテーブル、および、前記ＭＣＳフィールドの値に少なくとも基づき与えられ、前記ＤＣＩフォーマットがＴＣ−ＲＮＴＩによりスクランブルされたＣＲＣを伴い、かつ、前記ＰＵＳＣＨに対して変形プレコーディングが有効である場合に、前記上位層のパラメータＭＣＳ―Ｔａｂｌｅ―ＰＵＳＣＨ―ｔｐの値にかかわらず、前記所定の変調方式は第１のＭＣＳテーブル、および、前記ＭＣＳフィールドの値に少なくとも基づき与えられる。
【０１７４】
（３）また、本発明の第３の態様は、基地局装置であって、ＰＵＳＣＨをスケジューリングするＤＣＩフォーマットを含むＰＤＣＣＨを送信する送信部と、前記ＰＵＳＣＨを受信する受信部と、を備え、前記ＰＵＳＣＨのトランスポートブロックが所定の変調方式に基づき変調されることにより複素数値変調シンボルが生成され、前記ＰＵＳＣＨに対して変形プレコーディングが有効である場合に前記複素数値変調シンボルに対して変形プレコーディングが適用され、前記ＤＣＩフォーマットがＴＣ−ＲＮＴＩによりスクランブルされたＣＲＣを伴い、かつ、前記ＰＵＳＣＨに対して変形プレコーディングが有効である場合に、前記所定の変調方式は第１のＭＣＳテーブル、および、前記ＤＣＩフォーマットに含まれるＭＣＳフィールドの値に少なくとも基づき与えられ、前記ＤＣＩフォーマットがＣ−ＲＮＴＩによりスクランブルされたＣＲＣを伴う第１の上りリンクＤＣＩフォーマットであり、前記ＰＵＳＣＨに対して変形プレコーディングが有効であり、上位層のパラメータＭＣＳ―Ｔａｂｌｅ―ＰＵＳＣＨ―ｔｐが第１の値にセットされている場合に、前記所定の変調方式は第２のＭＣＳテーブル、および／または、前記ＭＣＳフィールドの値に少なくとも基づき与えられる。
【０１７５】
（４）また、本発明の第４の態様は、基地局装置であって、ＰＵＳＣＨをスケジューリングするＤＣＩフォーマットを含むＰＤＣＣＨを送信する送信部と、前記ＰＵＳＣＨを受信する受信部と、を備え、前記ＰＵＳＣＨのトランスポートブロックが所定の変調方式に基づき変調されることにより複素数値変調シンボルが生成され、前記ＰＵＳＣＨに対して変形プレコーディングが有効である場合に前記複素数値変調シンボルに対して変形プレコーディングが適用され、前記ＤＣＩフォーマットがＣ−ＲＮＴＩによりスクランブルされたＣＲＣを伴い、前記ＰＵＳＣＨに対して変形プレコーディングが有効であり、かつ、上位層のパラメータＭＣＳ―Ｔａｂｌｅ―ＰＵＳＣＨ―ｔｐが第１の値にセットされていない場合に、前記所定の変調方式は第１のＭＣＳテーブル、および、前記ＤＣＩフォーマットに含まれるＭＣＳフィールドの値に少なくとも基づき与えられ、前記ＤＣＩフォーマットがＣ−ＲＮＴＩによりスクランブルされたＣＲＣを伴い、前記ＰＵＳＣＨに対して変形プレコーディングが有効であり、前記上位層のパラメータＭＣＳ―Ｔａｂｌｅ―ＰＵＳＣＨ―ｔｐが前記第１の値にセットされている場合に、前記所定の変調方式は第２のＭＣＳテーブル、および、前記ＭＣＳフィールドの値に少なくとも基づき与えられ、前記ＤＣＩフォーマットがＴＣ−ＲＮＴＩによりスクランブルされたＣＲＣを伴い、かつ、前記ＰＵＳＣＨに対して変形プレコーディングが有効である場合に、前記上位層のパラメータＭＣＳ―Ｔａｂｌｅ―ＰＵＳＣＨ―ｔｐの値にかかわらず、前記所定の変調方式は第１のＭＣＳテーブル、および、前記ＭＣＳフィールドの値に少なくとも基づき与えられる。
【０１７６】
本発明に関わる基地局装置３、および端末装置１で動作するプログラムは、本発明に関わる上記実施形態の機能を実現するように、ＣＰＵ（Central Processing Unit）等を制
御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤ
Ｄ（Hard Disk Drive）に格納され、必要に応じてＣＰＵによって読み出し、修正・書き
込みが行われる。
【０１７７】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１７８】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１７９】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１８０】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０１８１】
また、上述した実施形態における基地局装置３は、ＥＵＴＲＡＮ（Evolved Universal Terrestrial Radio Access Network）および／またはＮＧ−ＲＡＮ（NextGen RAN，NR RAN）であってもよい。また、上述した実施形態における基地局装置３は、ｅＮｏｄｅＢお
よび／またはｇＮＢに対する上位ノードの機能の一部または全部を有してもよい。
【０１８２】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１８３】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０１８４】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発
明の技術的範囲に含まれる。また、上記各実施形態に記載された要素であり、同様の効果を奏する要素同士を置換した構成も含まれる。
【符号の説明】
【０１８５】
１（１Ａ、１Ｂ、１Ｃ）  端末装置
３  基地局装置
１０、３０  無線送受信部
１１、３１  アンテナ部
１２、３２  ＲＦ部
１３、３３  ベースバンド部
１４、３４  上位層処理部
１５、３５  媒体アクセス制御層処理部
１６、３６  無線リソース制御層処理部
【図１】
2019134354.tif 000006
【図２】
2019134354.tif 000007
【図３】
2019134354.tif 000008
【図４】
2019134354.tif 000009
【図５】
2019134354.tif 000010
【図６】
2019134354.tif 000011
【図７】
2019134354.tif 000012
【図８】
2019134354.tif 000013